(57)【要約】【課題】装置の動作情報を動作情報収集サーバが自動収集し、動作情報を代金請求サーバが自動収集して、動作情報に応じて装置の代金を決定し、通信代金と併せて代金を請求する装置の代金回収システム、利用情報収集サーバ、動作情報収集サーバ及び代金請求サーバを提供する。【解決手段】遊技機製造会社１からパチンコ店２にレンタルされたパチンコ機８には動作情報記憶装置９が設けられ、パチンコ機８の動作情報を記憶する。動作情報記憶装置９に記憶された動作情報は、パチンコ店２内の動作情報収集サーバ４からのポーリングにより動作情報収集サーバ４に送信され、さらに、通信事業者３の代金請求サーバ５からのポーリングにより動作情報収集サーバ４から代金請求サーバ５へ送信される。代金請求サーバ５では、動作情報に基づきパチンコ機８のレンタル代金を決定し、通信代金と併せて請求する。【選択図】　図２
2004105714.tif 000002
【特許請求の範囲】
【請求項１】
物品や情報やサービスの利用量に関する利用情報を収集する利用情報収集サーバと、前記物品や情報やサービスの代金を通信代金に併せて請求する代金請求サーバとをネットワークを介して接続した代金回収システムであって、
前記利用情報収集サーバは、
前記利用情報を入力する利用情報収集サーバ側利用情報入力手段と、
当該利用情報収集サーバ側利用情報入力手段により入力された前記利用情報を少なくとも一時的に記憶する利用情報収集サーバ側利用情報記憶手段と、
当該利用情報収集サーバ側利用情報記憶手段に記憶された前記利用情報をネットワークを介して、前記代金請求サーバに送信する利用情報収集サーバ側利用情報送信手段とを備え、
前記代金請求サーバは、
前記利用情報収集サーバに対して呼出しを行い、前記利用情報の送信要求をする代金請求サーバ側ポーリング手段と、
前記利用情報収集サーバ側利用情報送信手段から送信された前記利用情報を受信する代金請求サーバ側利用情報受信手段と、
当該代金請求サーバ側利用情報受信手段が受信した前記利用情報を少なくとも一時的に記憶する代金請求サーバ側利用情報記憶手段と、
当該代金請求サーバ側利用情報記憶手段に記憶された前記利用情報に基づいて、代金回収データを作成する代金回収データ作成手段と、
当該代金回収データ作成手段にて作成された前記代金回収データを記憶する代金回収データ記憶手段と、
当該代金回収データ作成手段にて作成された前記代金回収データに基づいて前記物品や情報やサービスの代金を通信代金に併せて請求する請求データを作成する通信代金請求処理手段とを備えたことを特徴とする代金回収システム。
【請求項２】
前記利用情報収集サーバは、前記物品や情報やサービスが提供された場合に前記利用情報が少なくとも一時的に記憶される装置から、前記利用情報を受信することを特徴とする請求項１に記載の代金回収システム。
【請求項３】
所定の動作を行う装置と、前記装置の動作状態に関する動作情報を収集する動作情報収集サーバと、前記装置の代金を通信代金に併せて請求する代金請求サーバとをネットワークを介して接続した代金回収システムであって、
前記装置は、
所定期間の当該動作情報を少なくとも一時的に記憶する動作情報記憶装置を備え、
前記動作情報記憶装置は、
前記動作情報を計数する動作情報計数手段と、
当該動作情報計数手段にて計数された前記動作情報を少なくとも一時的に記憶する動作情報記憶装置側動作情報記憶手段と、
当該動作情報記憶装置側動作情報記憶手段に記憶された前記動作情報を前記動作情報収集サーバに送信するための動作情報記憶装置側動作情報送信手段とを備え、
前記動作情報収集サーバは、
前記動作情報記憶装置側動作情報送信手段から送信された前記動作情報を受信する動作情報収集サーバ側動作情報受信手段と、
当該動作情報収集サーバ側動作情報受信手段が受信した前記動作情報を少なくとも一時的に記憶する動作情報収集サーバ側動作情報記憶手段と、
当該動作情報収集サーバ側動作情報記憶手段に記憶された前記動作情報をネットワークを介して、前記代金請求サーバに送信する動作情報収集サーバ側動作情報送信手段とを備え、
前記代金請求サーバは、
前記動作情報収集サーバに対して呼出しを行い、前記動作情報の送信要求をする代金請求サーバ側ポーリング手段と、
前記動作情報収集サーバ側動作情報送信手段から送信された前記動作情報を受信する代金請求サーバ側動作情報受信手段と、
当該代金請求サーバ側動作情報受信手段が受信した前記動作情報を少なくとも一時的に記憶する代金請求サーバ側動作情報記憶手段と、
当該代金請求サーバ側動作情報記憶手段に記憶された前記動作情報に基づいて、代金回収データを作成する代金回収データ作成手段と、
当該代金回収データ作成手段にて作成された前記代金回収データを記憶する代金回収データ記憶手段と、
当該代金回収データ作成手段にて作成された前記代金回収データに基づいて前記装置の代金を通信代金に併せて請求する請求データを作成する通信代金請求処理手段とを備えたことを特徴とする代金回収システム。
【請求項４】
所定の動作を行う装置と、前記装置の動作状態に関する動作情報を収集する動作情報収集サーバと、前記装置の代金を通信代金に併せて請求する代金請求サーバとをネットワークを介して接続した代金回収システムであって、
前記装置は、
所定期間の当該動作情報を少なくとも一時的に記憶する動作情報記憶装置を備え、
前記動作情報記憶装置は、
前記動作情報を計数する動作情報計数手段と、
当該動作情報計数手段にて計数された前記動作情報を少なくとも一時的に記憶する動作情報記憶装置側動作情報記憶手段と、
当該動作情報記憶装置側動作情報記憶手段に記憶された前記動作情報を前記動作情報収集サーバに送信するための動作情報記憶装置側動作情報送信手段とを備え、
前記動作情報収集サーバは、
前記動作情報記憶装置側動作情報送信手段から送信された前記動作情報を受信する動作情報収集サーバ側動作情報受信手段と、
当該動作情報収集サーバ側動作情報受信手段が受信した前記動作情報を少なくとも一時的に記憶する動作情報収集サーバ側動作情報記憶手段と、
当該動作情報収集サーバ側動作情報記憶手段に記憶された前記動作情報をネットワークを介して、前記代金請求サーバに送信する動作情報収集サーバ側動作情報送信手段と、
前記動作情報収集サーバ側動作情報記憶手段に記憶されている動作情報の値と前記動作情報記憶装置側動作情報記憶手段に記憶されている動作情報の値の差を求めることにより、２つの値を比較する動作情報収集サーバ側動作情報比較手段と、
当該動作情報収集サーバ側動作情報比較手段にて求めた前記２種の動作情報の値の差が閾値以下であるか否かにより、前記動作情報収集サーバ側動作情報記憶手段に記憶されている動作情報の値が正常値であるか異常値であるかを判定する動作情報収集サーバ側動作情報判定手段とを備え、
前記代金請求サーバは、
前記動作情報収集サーバに対して呼出しを行い、前記動作情報の送信要求をする代金請求サーバ側ポーリング手段と、
前記動作情報収集サーバ側動作情報送信手段から送信された前記動作情報を受信する代金請求サーバ側動作情報受信手段と、
当該代金請求サーバ側動作情報受信手段が受信した前記動作情報を少なくとも一時的に記憶する代金請求サーバ側動作情報記憶手段と、
当該代金請求サーバ側動作情報記憶手段に記憶された前記動作情報に基づいて、代金回収データを作成する代金回収データ作成手段と、
当該代金回収データ作成手段にて作成された前記代金回収データを記憶する代金回収データ記憶手段と、
当該代金回収データ作成手段にて作成された前記代金回収データに基づいて前記装置の代金を通信代金に併せて請求する請求データを作成する通信代金請求処理手段とを備えたことを特徴とする代金回収システム。
【請求項５】
前記通信代金請求処理手段は、代金支払者が銀行等金融機関と自動引落しの契約がある場合に自動引落しデータを作成し、また、クレジットカード会社と当該代金についてクレジットカード利用代金として支払いをする契約がある場合にはクレジット支払データを作成することを特徴とする請求項１乃至４の何れかに記載の代金回収システム。
【請求項６】
前記動作情報収集サーバには、前記動作情報記憶装置に対して呼出しを行い、前記動作情報の送信要求をする動作情報収集サーバ側ポーリング手段が設けられていることを特徴とする請求項３乃至５の何れかに記載の代金回収システム。
【請求項７】
前記動作情報は、前記装置の所定期間内の所定の動作の反復回数、前記装置が所定期間内に動作した動作量及び動作時間の少なくとも一つであることを特徴とする請求項３乃至６の何れかに記載の代金回収システム。
【請求項８】
前記代金回収データ作成手段は、前記利用情報又は前記動作情報に対応して決定した代金を所定期間毎に集計して、所定期間毎の代金を決定することを特徴とする請求項１乃至７の何れかに記載の代金回収システム。
【請求項９】
前記代金回収データ作成手段は、前記所定期間毎の代金を代金支払者毎に集計して、所定期間毎の代金支払者毎の代金を決定することを特徴とする請求項８に記載の代金回収システム。
【請求項１０】
前記代金回収データ作成手段は、前記利用情報、前記動作情報、前記代金回収データの内少なくとも１つが所定の閾値以下の場合には、前記代金の課金を行わないことを特徴とする請求項１乃至９の何れかに記載の代金回収システム。
【請求項１１】
前記通信代金は電話料金であることを特徴とする請求項１乃至１０の何れかに記載の代金回収システム。
【請求項１２】
前記装置は遊技機であることを特徴とする請求項３乃至１１の何れかに記載の代金回収システム。
【請求項１３】
前記動作情報は、所定期間内に、前記遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つであることを特徴とする請求項１２に記載の代金回収システム。
【請求項１４】
前記代金は、前記物品や情報やサービス又は前記装置の貸与を受けた者が支払う貸与代金であることを特徴とする請求項１乃至１３の何れかに記載の代金回収システム。
【請求項１５】
前記動作情報収集サーバは、
前記動作情報収集サーバ側動作情報送信手段が前記代金請求サーバに送信する際に、
前記動作情報収集サーバ側動作情報判定手段にて、前記動作情報収集サーバ側動作情報記憶手段に記憶されている動作情報が正常値であるか異常値であるかを判定した結果が、異常値であった場合には、前記動作情報記憶装置に記憶されている動作情報を新たに前記動作情報収集サーバ側動作情報記憶手段に記憶して、新たに記憶された動作情報を前記代金請求サーバに送信することを特徴とする請求項３乃至１４の何れかに記載の代金回収システム。
【請求項１６】
前記動作情報収集サーバは、
前記代金請求サーバの代金請求サーバ側ポーリング手段から呼出され、前記動作情報収集サーバ側動作情報記憶手段に記憶された前記動作情報の送信依頼がされた際に、前記装置がまだ稼働中である場合には、前記動作情報収集サーバ側動作情報送信手段にて前記代金請求サーバに前記動作情報を送信せずに、再呼出しの依頼情報又はエラー情報を送信することを特徴とする請求項３乃至１５の何れかに記載の代金回収システム。
【請求項１７】
前記利用情報収集サーバは、
前記代金請求サーバの代金請求サーバ側ポーリング手段から呼出され、前記利用情報収集サーバ側利用情報記憶手段に記憶された前記利用情報の送信依頼がされた際に、前記物品や情報やサービスを提供中である場合には、前記利用情報収集サーバ側利用情報送信手段にて前記代金請求サーバに前記利用情報を送信せずに、再呼出しの依頼情報又はエラー情報を送信することを特徴とする請求項１、２、５、８、９、１０、１１、１４の何れかに記載の代金回収システム。
【請求項１８】
前記代金請求サーバは、前記代金請求サーバ側ポーリング手段にて、前記利用情報収集サーバを呼出して、前記利用情報収集サーバ側利用情報記憶手段に記憶された前記利用情報の送信依頼をした際や、前記動作情報収集サーバを呼出して、前記動作情報収集サーバ側動作情報記憶手段に記憶された前記動作情報の送信依頼をした際に、前記代金請求サーバ側動作情報受信手段にて、利用情報又は動作情報ではなく、再呼出しの依頼情報又はエラー情報を受信した場合には、再呼出し処理又はエラー処理を行うことを特徴とする請求項１乃至１７の何れかに記載の代金回収システム。
【請求項１９】
所定の動作を行う装置と、当該装置の代金を通信代金に併せて請求する代金請求サーバとにネットワークを介して接続した、前記装置の動作状態に関する動作情報を収集する動作情報収集サーバであって、
当該動作情報収集サーバの制御を司るＣＰＵと、
前記動作情報記憶装置から送信された前記動作情報を受信する動作情報収集サーバ側動作情報受信手段と、
当該動作情報収集サーバ側動作情報受信手段が受信した前記動作情報を少なくとも一時的に記憶する動作情報収集サーバ側動作情報記憶手段と、
当該動作情報収集サーバ側動作情報記憶手段に記憶された前記動作情報をネットワークを介して、前記代金請求サーバに送信する動作情報収集サーバ側動作情報送信手段とを備え、
前記代金請求サーバから呼出され、前記動作情報収集サーバ側動作情報記憶手段に記憶された前記動作情報の送信依頼がなされた際に、前記装置がまだ稼働中である場合には、動作情報収集サーバ側動作情報送信手段にて前記代金請求サーバに前記動作情報を送信せずに、再呼出しの依頼情報又はエラー情報を送信することを特徴とする動作情報収集サーバ。
【請求項２０】
前記動作情報は、前記装置の所定期間内の所定の動作の反復回数、前記装置が所定期間内に動作した動作量及び動作時間の少なくとも一つであることを特徴とする請求項１９に記載の動作情報収集サーバ。
【請求項２１】
前記通信代金は電話料金であることを特徴とする請求項１９又は２０に記載の動作情報収集サーバ。
【請求項２２】
前記装置は遊技機であることを特徴とする請求項１９乃至２１の何れかに記載の動作情報収集サーバ。
【請求項２３】
前記動作情報は、所定期間内に、前記遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つであることを特徴とする請求項２２に記載の動作情報収集サーバ。
【請求項２４】
前記装置の代金は、前記装置の貸与を受けた者が支払う貸与代金であることを特徴とする請求項１９乃至２３の何れかに記載の動作情報収集サーバ。
【請求項２５】
物品や情報やサービスの利用量に関する利用情報を収集する利用情報収集サーバにネットワークを介して接続した、前記物品や情報やサービスの代金を通信代金と併せて請求する代金請求サーバであって、
前記利用情報収集サーバに対して呼出しを行い、前記利用情報の送信要求をする代金請求サーバ側ポーリング手段と、
前記利用情報収集サーバから送信された前記利用情報を受信する代金請求サーバ側利用情報受信手段と、
当該代金請求サーバ側利用情報受信手段が受信した前記利用情報を少なくとも一時的に記憶する代金請求サーバ側利用情報記憶手段と、
当該代金請求サーバ側利用情報記憶手段に記憶された前記利用情報に基づいて、代金回収データを作成する代金回収データ作成手段と、
当該代金回収データ作成手段にて作成された前記代金回収データを記憶する代金回収データ記憶手段と、
当該代金回収データ作成手段にて作成された前記代金回収データに基づいて前記物品や情報やサービスの代金を通信代金に併せて請求する請求データを作成する通信代金請求処理手段とを備えたことを特徴とする代金請求サーバ。
【請求項２６】
所定の動作を行う装置にネットワークを介して接続した、前記装置の動作状態に関する動作情報を収集する動作情報収集サーバにネットワークを介して接続した、前記装置の代金を通信代金に併せて請求する代金請求サーバであって、
前記動作情報収集サーバに対して呼出しを行い、前記動作情報の送信要求をする代金請求サーバ側ポーリング手段と、
前記動作情報収集サーバから送信された前記動作情報を受信する代金請求サーバ側動作情報受信手段と、
当該代金請求サーバ側動作情報受信手段が受信した前記動作情報を少なくとも一時的に記憶する代金請求サーバ側動作情報記憶手段と、
当該代金請求サーバ側動作情報記憶手段に記憶された前記動作情報に基づいて、代金回収データを作成する代金回収データ作成手段と、
当該代金回収データ作成手段にて作成された前記代金回収データを記憶する代金回収データ記憶手段と、
当該代金回収データ作成手段にて作成された前記代金回収データに基づいて前記装置の代金を通信代金に併せて請求する請求データを作成する通信代金請求処理手段とを備えたことを特徴とする代金請求サーバ。
【請求項２７】
前記通信代金請求処理手段は、代金支払者が銀行等金融機関と自動引落しの契約がある場合に自動引落しデータを作成し、また、クレジットカード会社と当該代金についてクレジットカード利用代金として支払いをする契約がある場合にはクレジット支払データを作成することを特徴とする請求項２５又は２６に記載の代金請求サーバ。
【請求項２８】
前記動作情報は、前記装置の所定期間内の所定の動作の反復回数、前記装置が所定期間内に動作した動作量及び動作時間の少なくとも一つであることを特徴とする請求項２６又は２７の何れかに記載の代金請求サーバ。
【請求項２９】
前記代金回収データ作成手段は、前記利用情報又は前記動作情報に対応して決定した代金を所定期間毎に集計して、所定期間毎の代金を決定することを特徴とする請求項２５乃至２８の何れかに記載の代金請求サーバ。
【請求項３０】
前記代金回収データ作成手段は、前記所定期間毎の代金を代金支払者毎に集計して、所定期間毎の代金支払者毎の代金を決定することを特徴とする請求項２９に記載の代金請求サーバ。
【請求項３１】
前記代金回収データ作成手段は、前記利用情報、前記動作情報、前記代金回収データの内少なくとも１つが所定の閾値以下の場合には、前記代金の課金を行わないことを特徴とする請求項２５乃至３０の何れかに記載の代金請求サーバ。
【請求項３２】
前記代金請求サーバ側ポーリング手段にて、前記利用情報収集サーバを呼出し、前記利用情報収集サーバ側利用情報記憶手段に記憶された前記利用情報の送信依頼をした際や、前記動作情報収集サーバを呼出し、前記動作情報収集サーバに記憶された前記動作情報の送信依頼をした際に、前記代金請求サーバ側動作情報受信手段にて、利用情報又は動作情報ではなく、再呼出しの依頼情報又はエラー情報を受信した場合には、再呼出し処理又はエラー処理を行うことを特徴とする請求項２５乃至３１の何れかに記載の代金請求サーバ。
【請求項３３】
前記通信代金は電話料金であることを特徴とする請求項２５乃至３２の何れかに記載の代金請求サーバ。
【請求項３４】
前記装置は遊技機であることを特徴とする請求項２６乃至３３の何れかに記載の代金請求サーバ。
【請求項３５】
前記動作情報は、所定期間内に、前記遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つであることを特徴とする請求項３４に記載の代金請求サーバ。
【請求項３６】
前記代金は、前記物品や情報やサービス又は前記装置の貸与を受けた者が支払う貸与代金であることを特徴とする請求項２５乃至３５の何れかに記載の代金請求サーバ。
【請求項３７】
物品や情報やサービスの代金を通信代金と併せて請求する代金請求サーバにネットワークを介して接続した、前記物品や情報やサービスの利用量に関する利用情報を収集する利用情報収集サーバであって、
当該利用情報収集サーバの制御を司るＣＰＵと、
前記利用情報を入力する利用情報収集サーバ側利用情報入力手段と、
当該利用情報収集サーバ側利用情報入力手段により入力された前記利用情報を少なくとも一時的に記憶する利用情報収集サーバ側利用情報記憶手段と、
当該利用情報収集サーバ側利用情報記憶手段に記憶された前記利用情報をネットワークを介して、前記代金請求サーバに送信する利用情報収集サーバ側利用情報送信手段とを備え、
前記代金請求サーバから呼出され、前記利用情報収集サーバ側利用情報記憶手段に記憶された前記利用情報の送信依頼がなされた際に、まだ前記物品や情報やサービスを提供中である場合には、利用情報収集サーバ側利用情報送信手段にて前記代金請求サーバに前記利用情報を送信せずに、再呼出しの依頼情報又はエラー情報を送信することを特徴とする利用情報収集サーバ。
【請求項３８】
前記通信代金は電話料金であることを特徴とする請求項３７に記載の利用情報収集サーバ。
【請求項３９】
前記代金は、前記物品の貸与を受けた者が支払う貸与代金であることを特徴とする請求項３７又は３８に記載の利用情報収集サーバ。
【発明の詳細な説明】
【０００１】
【発明の属する技術分野】
本発明は、代金回収システム、動作情報収集サーバ、利用情報収集サーバ及び代金請求サーバに関し、詳細には、例えば、遊技機をレンタルした場合に、稼働状況に応じてレンタル代金を回収する遊技機の代金回収システム、動作情報収集サーバ、利用情報収集サーバ及び代金請求サーバに関する。
【従来の技術】
従来、所定の動作を行う装置の一種であるパチンコ機やパチスロ機等の遊技機は、遊技場が遊技機製造会社から買い取るとういう形態により取引されている。この場合には、図２３に示すように、遊技機製造会社１からパチンコ店２に対して、遊技機等の商品の提供や機器の設置等のサービスを提供し、その代金をパチンコ店２に請求して、パチンコ店２から代金の支払いを受けるようになっている。また、遊技場で不用になった遊技機は、中古機市場へ流されるか、新しい遊技機との入れ替え時に廃棄処理業者に引き取られ、費用を掛けて処分されている。したがって、遊技場が新しい遊技機を設置する場合には、新遊技機の購入費用と不用遊技機の処分費用とが必要となり、多大な初期投資が必要となっている。
【０００２】
【発明が解決しようとする課題】
しかしながら、遊技場が遊技機の購入に多大な初期投資をすることは、遊技場にとって負担である。そこで、一般的に用いられているような固定額によるレンタルやリースといった貸与形態での遊技機の提供が考えられる。これは、遊技場が新しい遊技機を入手するための多大な初期投資を逃れることはできるが、契約後一定期間は契約を継続しなければならないという制約があるため、遊技者に人気がない遊技機であっても一定期間設置しなければならず、稼働率の良い遊技機に対しても、稼働率の悪い遊技機に対しても固定額の代金を支払い続けなければならない。さらに、遊技機製造会社側においても、貸与先遊技場の貸与状況を管理したり、請求書の作成を行ったり、代金の入金を管理したりすることは煩雑である。また、買い取り形態では、遊技機が不用となった際には、中古車市場に流出したり、廃棄処理業者に引き取られたりしており、リサイクルを行うことは難しかった。さらに、遊技機は廃棄処分されているはずであるが、実際には不法投棄が社会問題となっている。
【０００３】
本発明は、上記課題を解決するためになされたものであり、遊技機をレンタルした場合に、稼働状況に応じてレンタル代金を回収する代金回収システム、動作情報収集サーバ、利用情報収集サーバ及び代金請求サーバを提供することを目的とする。
【０００４】
【課題を解決するための手段】
上記課題を解決するため、請求項１に係る発明の代金回収システムは、物品や情報やサービスの利用量に関する利用情報を収集する利用情報収集サーバと、前記物品や情報やサービスの代金を通信代金に併せて請求する代金請求サーバとをネットワークを介して接続した代金回収システムであって、前記利用情報収集サーバは、前記利用情報を入力する利用情報収集サーバ側利用情報入力手段と、前記利用情報収集サーバ側利用情報入力手段により入力された利用情報を少なくとも一時的に記憶する利用情報収集サーバ側利用情報記憶手段と、当該利用情報収集サーバ側利用情報記憶手段に記憶された前記利用情報をネットワークを介して、前記代金請求サーバに送信する利用情報収集サーバ側利用情報送信手段とを備え、前記代金請求サーバは、前記利用情報収集サーバに対して呼出しを行い、前記利用情報の送信要求をする代金請求サーバ側ポーリング手段と、前記利用情報収集サーバ側利用情報送信手段から送信された前記利用情報を受信する代金請求サーバ側利用情報受信手段と、当該代金請求サーバ側利用情報受信手段が受信した前記利用情報を少なくとも一時的に記憶する代金請求サーバ側利用情報記憶手段と、当該代金請求サーバ側利用情報記憶手段に記憶された前記利用情報に基づいて、代金回収データを作成する代金回収データ作成手段と、当該代金回収データ作成手段にて作成された前記代金回収データを記憶する代金回収データ記憶手段と、当該代金回収データ作成手段にて作成された前記代金回収データに基づいて前記物品や情報やサービスの代金を通信代金に併せて請求する請求データを作成する通信代金請求処理手段とを備えている。
【０００５】
この構成の代金回収システムでは、利用情報収集サーバの利用情報収集サーバ側利用情報入力手段は利用情報を入力し、利用情報収集サーバ側利用情報記憶手段は、利用情報収集サーバ側利用情報入力手段により入力された利用情報を少なくとも一時的に記憶し、利用情報収集サーバ側利用情報送信手段は、利用情報収集サーバ側利用情報記憶手段に記憶された利用情報をネットワークを介して、代金請求サーバに送信する。また、代金請求サーバの代金請求サーバ側ポーリング手段は、利用情報収集サーバに対して呼出しを行い、利用情報の送信要求をし、代金請求サーバ側利用情報受信手段は、利用情報収集サーバ側利用情報送信手段から送信された利用情報を受信し、代金請求サーバ側利用情報記憶手段は、代金請求サーバ側利用情報受信手段が受信した利用情報を少なくとも一時的に記憶し、代金回収データ作成手段は、代金請求サーバ側利用情報記憶手段に記憶された利用情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて物品や情報やサービスの代金を通信代金に併せて請求する請求データを作成する。
【０００６】
また、請求項２に係る発明の代金回収システムでは、請求項１に記載の発明の構成に加えて、前記利用情報収集サーバは、前記物品や情報やサービスが提供された場合に前記利用情報が少なくとも一時的に記憶される装置から、前記利用情報を受信することを特徴とする構成となっている。
【０００７】
この構成の代金回収システムでは、請求項１に記載の発明の作用に加えて、利用情報収集サーバは、物品や情報やサービスが提供された場合に利用情報が少なくとも一時的に記憶される装置から利用情報を受信する。
【０００８】
また、請求項３に係る発明の代金回収システムでは、所定の動作を行う装置と、前記装置の動作状態に関する動作情報を収集する動作情報収集サーバと、前記装置の代金を通信代金に併せて請求する代金請求サーバとをネットワークを介して接続した代金回収システムであって、前記装置は、所定期間の当該動作情報を少なくとも一時的に記憶する動作情報記憶装置を備え、前記動作情報記憶装置は、前記動作情報を計数する動作情報計数手段と、当該動作情報計数手段にて計数された前記動作情報を少なくとも一時的に記憶する動作情報記憶装置側動作情報記憶手段と、当該動作情報記憶装置側動作情報記憶手段に記憶された前記動作情報を前記動作情報収集サーバに送信するための動作情報記憶装置側動作情報送信手段とを備え、前記動作情報収集サーバは、前記動作情報記憶装置側動作情報送信手段から送信された前記動作情報を受信する動作情報収集サーバ側動作情報受信手段と、当該動作情報収集サーバ側動作情報受信手段が受信した前記動作情報を少なくとも一時的に記憶する動作情報収集サーバ側動作情報記憶手段と、当該動作情報収集サーバ側動作情報記憶手段に記憶された前記動作情報をネットワークを介して、前記代金請求サーバに送信する動作情報収集サーバ側動作情報送信手段とを備え、前記代金請求サーバは、前記動作情報収集サーバに対して呼出しを行い、前記動作情報の送信要求をする代金請求サーバ側ポーリング手段と、前記動作情報収集サーバ側動作情報送信手段から送信された前記動作情報を受信する代金請求サーバ側動作情報受信手段と、当該代金請求サーバ側動作情報受信手段が受信した前記動作情報を少なくとも一時的に記憶する代金請求サーバ側動作情報記憶手段と、当該代金請求サーバ側動作情報記憶手段に記憶された前記動作情報に基づいて、代金回収データを作成する代金回収データ作成手段と、当該代金回収データ作成手段にて作成された前記代金回収データを記憶する代金回収データ記憶手段と、当該代金回収データ作成手段にて作成された前記代金回収データに基づいて前記装置の代金を通信代金に併せて請求する請求データを作成する通信代金請求処理手段とを備えている。
【０００９】
この構成の代金回収システムでは、装置の動作情報記憶装置は、所定期間の動作情報を少なくとも一時的に記憶する。また、動作情報記憶装置の動作情報計数手段は、動作情報を計数し、動作情報記憶装置側動作情報記憶手段は、動作情報計数手段にて計数された動作情報を少なくとも一時的に記憶し、動作情報記憶装置側動作情報送信手段は、動作情報記憶装置側動作情報記憶手段に記憶された動作情報を動作情報収集サーバに送信する。また、動作情報収集サーバの動作情報収集サーバ側動作情報受信手段は、動作情報記憶装置側動作情報送信手段から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金請求サーバに送信する。また、代金請求サーバの代金請求サーバ側ポーリング手段は、動作情報収集サーバに対して呼出しを行い、動作情報の送信要求をし、代金請求サーバ側動作情報受信手段は、動作情報収集サーバ側動作情報送信手段から送信された動作情報を受信し、代金請求サーバ側動作情報記憶手段は、代金請求サーバ側動作情報受信手段が受信した動作情報を少なくとも一時的に記憶し、代金回収データ作成手段は、代金請求サーバ側動作情報記憶手段に記憶された動作情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて装置の代金を通信代金に併せて請求する請求データを作成する。
【００１０】
また、請求項４に係る発明の代金回収システムでは、所定の動作を行う装置と、前記装置の動作状態に関する動作情報を収集する動作情報収集サーバと、前記装置の代金を通信代金に併せて請求する代金請求サーバとをネットワークを介して接続した代金回収システムであって、前記装置は、所定期間の当該動作情報を少なくとも一時的に記憶する動作情報記憶装置を備え、前記動作情報記憶装置は、前記動作情報を計数する動作情報計数手段と、当該動作情報計数手段にて計数された前記動作情報を少なくとも一時的に記憶する動作情報記憶装置側動作情報記憶手段と、当該動作情報記憶装置側動作情報記憶手段に記憶された前記動作情報を前記動作情報収集サーバに送信するための動作情報記憶装置側動作情報送信手段とを備え、前記動作情報収集サーバは、前記動作情報記憶装置側動作情報送信手段から送信された前記動作情報を受信する動作情報収集サーバ側動作情報受信手段と、当該動作情報収集サーバ側動作情報受信手段が受信した前記動作情報を少なくとも一時的に記憶する動作情報収集サーバ側動作情報記憶手段と、当該動作情報収集サーバ側動作情報記憶手段に記憶された前記動作情報をネットワークを介して、前記代金請求サーバに送信する動作情報収集サーバ側動作情報送信手段と、前記動作情報収集サーバ側動作情報記憶手段に記憶されている動作情報の値と前記動作情報記憶装置側動作情報記憶手段に記憶されている動作情報の値の差を求めることにより、２つの値を比較する動作情報収集サーバ側動作情報比較手段と、前記動作情報収集サーバ側動作情報比較手段にて求めた前記２種の動作情報の値の差が閾値以下であるか否かにより、前記動作情報収集サーバ側動作情報記憶手段に記憶されている動作情報の値が正常値であるか異常値であるかを判定する動作情報収集サーバ側動作情報判定手段とを備え、前記代金請求サーバは、前記動作情報収集サーバに対して呼出しを行い、前記動作情報の送信要求をする代金請求サーバ側ポーリング手段と、前記動作情報収集サーバ側動作情報送信手段から送信された前記動作情報を受信する代金請求サーバ側動作情報受信手段と、当該代金請求サーバ側動作情報受信手段が受信した前記動作情報を少なくとも一時的に記憶する代金請求サーバ側動作情報記憶手段と、当該代金請求サーバ側動作情報記憶手段に記憶された前記動作情報に基づいて、代金回収データを作成する代金回収データ作成手段と、当該代金回収データ作成手段にて作成された前記代金回収データを記憶する代金回収データ記憶手段と、当該代金回収データ作成手段にて作成された前記代金回収データに基づいて前記装置の代金を通信代金に併せて請求する請求データを作成する通信代金請求処理手段とを備えている。
【００１１】
この構成の代金回収システムでは、装置の動作情報記憶装置は、所定期間の動作情報を少なくとも一時的に記憶する。また、動作情報記憶装置の動作情報計数手段は、動作情報を計数し、動作情報記憶装置側動作情報記憶手段は、動作情報計数手段にて計数された動作情報を少なくとも一時的に記憶し、動作情報記憶装置側動作情報送信手段は、動作情報記憶装置側動作情報記憶手段に記憶された動作情報を動作情報収集サーバに送信する。また、動作情報収集サーバの動作情報収集サーバ側動作情報受信手段は、動作情報記憶装置側動作情報送信手段から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金請求サーバに送信し、動作情報収集サーバ側動作情報比較手段は、動作情報収集サーバ側動作情報記憶手段に記憶されている動作情報の値と動作情報記憶装置側動作情報記憶手段に記憶されている動作情報の値の差を求めることにより、２つの値を比較し、動作情報収集サーバ側動作情報判定手段は、動作情報収集サーバ側動作情報比較手段にて求めた２種の動作情報の値の差が閾値以下であるか否かにより、動作情報収集サーバ側動作情報記憶手段に記憶されている動作情報の値が正常値であるか異常値であるかを判定する。また、代金請求サーバの代金請求サーバ側ポーリング手段は、動作情報収集サーバに対して呼出しを行い、動作情報の送信要求をし、代金請求サーバ側動作情報受信手段は、動作情報収集サーバ側動作情報送信手段から送信された動作情報を受信し、代金請求サーバ側動作情報記憶手段は、代金請求サーバ側動作情報受信手段が受信した動作情報を少なくとも一時的に記憶し、代金回収データ作成手段は、代金請求サーバ側動作情報記憶手段に記憶された動作情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて装置の代金を通信代金に併せて請求する請求データを作成する。
【００１２】
また、請求項５に係る発明の代金回収システムでは、請求項１乃至４の何れかに記載の発明の構成に加えて、前記通信代金請求処理手段は、代金支払者が銀行等金融機関と自動引落しの契約がある場合に自動引落しデータを作成し、また、クレジットカード会社と当該代金についてクレジットカード利用代金として支払いをする契約がある場合にはクレジット支払データを作成することを特徴とする構成となっている。
【００１３】
この構成の代金回収システムでは、請求項１乃至４の何れかに記載の発明の作用に加えて、通信代金請求処理手段は、代金支払者が銀行等金融機関と自動引落しの契約がある場合に自動引落しデータを作成し、また、クレジットカード会社と代金についてクレジットカード利用代金として支払いをする契約がある場合にはクレジット支払データを作成する。
【００１４】
また、請求項６に係る発明の代金回収システムでは、請求項３乃至５の何れかに記載の発明の構成に加えて、前記動作情報収集サーバには、前記動作情報記憶装置に対して呼出しを行い、前記動作情報の送信要求をする動作情報収集サーバ側ポーリング手段が設けられていることを特徴とする。
【００１５】
この構成の代金回収システムでは、請求項３乃至５の何れかに記載の発明の作用に加えて、動作情報収集サーバの動作情報収集サーバ側ポーリング手段は、動作情報記憶装置に対して呼出しを行い、動作情報の送信要求をする。
【００１６】
また、請求項７に係る発明の代金回収システムでは、請求項３乃至６の何れかに記載の発明の構成に加えて、前記動作情報は、前記装置の所定期間内の所定の動作の反復回数、前記装置が所定期間内に動作した動作量及び動作時間の少なくとも一つであることを特徴とする構成となっている。
【００１７】
この構成の代金回収システムでは、請求項３乃至６の何れかに記載の発明の作用に加えて、動作情報は、装置の所定期間内の所定の動作の反復回数、装置が所定期間内に動作した動作量及び動作時間の少なくとも一つが用いられる。
【００１８】
また、請求項８に係る発明の代金回収システムでは、請求項１乃至７の何れかに記載の発明の構成に加えて、前記代金回収データ作成手段は、前記利用情報又は前記動作情報に対応して決定した代金を所定期間毎に集計して、所定期間毎の代金を決定することを特徴とする構成となっている。
【００１９】
この構成の代金回収システムでは、請求項１乃至７の何れかに記載の発明の作用に加えて、代金回収データ作成手段は、利用情報又は動作情報に対応して決定した代金を所定期間毎に集計して、所定期間毎の代金を決定する。
【００２０】
また、請求項９に係る発明の代金回収システムでは、請求項８に記載の発明の構成に加えて、前記代金回収データ作成手段は、前記所定期間毎の代金を代金支払者毎に集計して、所定期間毎の代金支払者毎の代金を決定することを特徴とする構成となっている。
【００２１】
この構成の代金回収システムでは、請求項８に記載の発明の作用に加えて、代金回収データ作成手段は、所定期間毎の代金を代金支払者毎に集計して、所定期間毎の代金支払者毎の代金を決定する。
【００２２】
また、請求項１０に係る発明の代金回収システムでは、請求項１乃至９の何れかに記載の発明の構成に加えて、前記代金回収データ作成手段は、前記利用情報、前記動作情報、前記代金回収データの内少なくとも１つが所定の閾値以下の場合には、前記代金の課金を行わないことを特徴とする構成となっている。
【００２３】
この構成の代金回収システムでは、請求項１乃至９の何れかに記載の発明の作用に加えて、代金回収データ作成手段は、利用情報、動作情報、代金回収データの内少なくとも１つが所定の閾値以下の場合には、代金の課金を行わない。
【００２４】
また、請求項１１に係る発明の代金回収システムでは、請求項１乃至１０の何れかに記載の発明の構成に加えて、前記通信代金は電話料金であることを特徴とする構成となっている。
【００２５】
この構成の代金回収システムでは、請求項１乃至１０の何れかに記載の発明の作用に加えて、通信代金は電話料金が用いられる。
【００２６】
また、請求項１２に係る発明の代金回収システムでは、請求項３乃至１１の何れかに記載の発明の構成に加えて、前記装置は遊技機であることを特徴とする構成となっている。
【００２７】
この構成の代金回収システムでは、請求項３乃至１１の何れかに記載の発明の作用に加えて、装置は遊技機が用いられる。
【００２８】
また、請求項１３に係る発明の代金回収システムでは、請求項１２に記載の発明の構成に加えて、前記動作情報は、所定期間内に、前記遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つであることを特徴とする構成となっている。
【００２９】
この構成の代金回収システムでは、請求項１２に記載の発明の作用に加えて、動作情報は、所定期間内に、遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つが用いられる。
【００３０】
また、請求項１４に係る発明の代金回収システムでは、請求項１乃至１３の何れかに記載の発明の構成に加えて、前記代金は、前記物品や情報やサービス又は前記装置の貸与を受けた者が支払う貸与代金であることを特徴とする構成となっている。
【００３１】
この構成の代金回収システムでは、請求項１乃至１３の何れかに記載の発明の作用に加えて、代金は、物品や情報やサービス又は装置の貸与を受けた者が支払う貸与代金が用いられる。
【００３２】
また、請求項１５に係る発明の代金回収システムでは、請求項３乃至１４の何れかに記載の発明の構成に加えて、前記動作情報収集サーバは、前記動作情報収集サーバ側動作情報送信手段が前記代金請求サーバに送信する際に、前記動作情報収集サーバ側動作情報判定手段にて、前記動作情報収集サーバ側動作情報記憶手段に記憶されている動作情報が正常値であるか異常値であるかを判定した結果が、異常値であった場合には、前記動作情報記憶装置に記憶されている動作情報を新たに前記動作情報収集サーバ側動作情報記憶手段に記憶して、新たに記憶された動作情報を前記代金請求サーバに送信することを特徴とする構成となっている。
【００３３】
この構成の代金回収システムでは、請求項３乃至１４の何れかに記載の発明の作用に加えて、動作情報収集サーバは、動作情報収集サーバ側動作情報送信手段が代金請求サーバに送信する際に、動作情報収集サーバ側動作情報判定手段にて、動作情報収集サーバ側動作情報記憶手段に記憶されている動作情報が正常値であるか異常値であるかを判定した結果が、異常値であった場合には、動作情報記憶装置に記憶されている動作情報を新たに動作情報収集サーバ側動作情報記憶手段に記憶して、新たに記憶された動作情報を代金請求サーバに送信する。
【００３４】
また、請求項１６に係る発明の代金回収システムでは、請求項３乃至１５の何れかに記載の発明の構成に加えて、前記動作情報収集サーバは、記代金請求サーバの代金請求サーバ側ポーリング手段から呼出され、前記動作情報収集サーバ側動作情報記憶手段に記憶された前記動作情報の送信依頼がされた際に、前記装置がまだ稼働中である場合には、前記動作情報収集サーバ側動作情報送信手段にて前記代金請求サーバに前記動作情報を送信せずに、再呼出しの依頼情報又はエラー情報を送信することを特徴とする構成となっている。
【００３５】
この構成の代金回収システムでは、請求項３乃至１５の何れかに記載の発明の作用に加えて、動作情報収集サーバは、代金請求サーバの代金請求サーバ側ポーリング手段から呼出され、動作情報収集サーバ側動作情報記憶手段に記憶された動作情報の送信依頼がされた際に、装置がまだ稼働中である場合には、動作情報収集サーバ側動作情報送信手段にて代金請求サーバに動作情報を送信せずに、再呼出しの依頼情報又はエラー情報を送信する。
【００３６】
また、請求項１７に係る発明の代金回収システムでは、請求項１、２、５、８、９、１０、１１、１４の何れかに記載の発明の構成に加えて、前記利用情報収集サーバは、前記代金請求サーバの代金請求サーバ側ポーリング手段から呼出され、前記利用情報収集サーバ側利用情報記憶手段に記憶された前記利用情報の送信依頼がされた際に、前記物品や情報やサービスを提供中である場合には、利用情報収集サーバ側利用情報送信手段にて前記代金請求サーバに前記利用情報を送信せずに、再呼出しの依頼情報又はエラー情報を送信することを特徴とする構成となっている。
【００３７】
この構成の代金回収システムでは、請求項１、２、５、８、９、１０、１１、１４の何れかに記載の発明の作用に加えて、利用情報収集サーバは、代金請求サーバの代金請求サーバ側ポーリング手段から呼出され、利用情報収集サーバ側利用情報記憶手段に記憶された利用情報の送信依頼がされた際に、物品や情報やサービスを提供中である場合には、利用情報収集サーバ側利用情報送信手段にて代金請求サーバに利用情報を送信せずに、再呼出しの依頼情報又はエラー情報を送信する。
【００３８】
また、請求項１８に係る発明の代金回収システムでは、請求項１乃至１７の何れかに記載の発明の構成に加えて、前記代金請求サーバは、前記代金請求サーバ側ポーリング手段にて、前記利用情報収集サーバを呼出して、前記利用情報収集サーバ側利用情報記憶手段に記憶された前記利用情報の送信依頼をした際や、前記動作情報収集サーバを呼出して、前記動作情報収集サーバ側動作情報記憶手段に記憶された前記動作情報の送信依頼をした際に、前記代金請求サーバ側動作情報受信手段にて、利用情報又は動作情報ではなく、再呼出しの依頼情報又はエラー情報を受信した場合には、再呼出し処理又はエラー処理を行うことを特徴とする構成となっている。
【００３９】
この構成の代金回収システムでは、請求項１乃至１７の何れかに記載の発明の作用に加えて、代金請求サーバは、代金請求サーバ側ポーリング手段にて、利用情報収集サーバを呼出して、利用情報収集サーバ側利用情報記憶手段に記憶された利用情報の送信依頼をした際や、動作情報収集サーバを呼出して、動作情報収集サーバ側動作情報記憶手段に記憶された動作情報の送信依頼をした際に、代金請求サーバ側動作情報受信手段にて、利用情報又は動作情報ではなく、再呼出しの依頼情報又はエラー情報を受信した場合には、再呼出し処理又はエラー処理を行う。
【００４０】
また、請求項１９に係る発明の動作情報収集サーバでは、所定の動作を行う装置と、前記装置の代金を通信代金に併せて請求する代金請求サーバとにネットワークを介して接続した、前記装置の動作状態に関する動作情報を収集する動作情報収集サーバであって、当該動作情報収集サーバの制御を司るＣＰＵと、前記動作情報記憶装置から送信された前記動作情報を受信する動作情報収集サーバ側動作情報受信手段と、当該動作情報収集サーバ側動作情報受信手段が受信した前記動作情報を少なくとも一時的に記憶する動作情報収集サーバ側動作情報記憶手段と、当該動作情報収集サーバ側動作情報記憶手段に記憶された前記動作情報をネットワークを介して、前記代金請求サーバに送信する動作情報収集サーバ側動作情報送信手段とを備え、前記代金請求サーバから呼出され、動作情報収集サーバ側動作情報記憶手段に記憶された前記動作情報の送信依頼がなされた際に、前記装置がまだ稼働中である場合には、動作情報収集サーバ側動作情報送信手段にて前記代金請求サーバに前記動作情報を送信せずに、再呼出しの依頼情報又はエラー情報を送信することを特徴とする構成となっている。
【００４１】
この構成の動作情報収集サーバでは、ＣＰＵは動作情報収集サーバの制御を司り、動作情報収集サーバ側動作情報受信手段は、動作情報記憶装置から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金請求サーバに送信する。そして、代金請求サーバから呼出され、動作情報収集サーバ側動作情報記憶手段に記憶された動作情報の送信依頼がなされた際に、装置がまだ稼働中である場合には、動作情報収集サーバ側動作情報送信手段にて代金請求サーバに動作情報を送信せずに、再呼出しの依頼情報又はエラー情報を送信する。
【００４２】
また、請求項２０に係る発明の動作情報収集サーバでは、請求項１９に記載の発明の構成に加えて、前記動作情報は、前記装置の所定期間内の所定の動作の反復回数、前記装置が所定期間内に動作した動作量及び動作時間の少なくとも一つであることを特徴とする構成となっている。
【００４３】
この構成の動作情報収集サーバでは、請求項１９に記載の発明の作用に加えて、動作情報は、装置の所定期間内の所定の動作の反復回数、装置が所定期間内に動作した動作量及び動作時間の少なくとも一つが用いられる。
【００４４】
また、請求項２１に係る発明の動作情報収集サーバでは、請求項１９又は２０に記載の発明の構成に加えて、前記通信代金は電話料金であることを特徴とする構成となっている。
【００４５】
この構成の動作情報収集サーバでは、請求項１９又は２０に記載の発明の作用に加えて、通信代金は電話料金が用いられる。
【００４６】
また、請求項２２に係る発明の動作情報収集サーバでは、請求項１９乃至２１の何れかに記載の発明の構成に加えて、前記装置は遊技機であることを特徴とする構成となっている。
【００４７】
この構成の動作情報収集サーバでは、請求項１９乃至２１の何れかに記載の発明の作用に加えて、装置は遊技機が用いられる。
【００４８】
また、請求項２３に係る発明の動作情報収集サーバでは、請求項２２に記載の発明の構成に加えて、前記動作情報は、所定期間内に、前記遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つであることを特徴とする構成となっている。
【００４９】
この構成の動作情報収集サーバでは、請求項２２に記載の発明の作用に加えて、動作情報は、所定期間内に、遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つが用いられる。
【００５０】
また、請求項２４に係る発明の動作情報収集サーバでは、請求項１９乃至２３の何れかに記載の発明の構成に加えて、前記装置の代金は、前記装置の貸与を受けた者が支払う貸与代金であることを特徴とする構成となっている。
【００５１】
この構成の動作情報収集サーバでは、請求項１９乃至２３の何れかに記載の発明の作用に加えて、装置の代金は、装置の貸与を受けた者が支払う貸与代金が用いられる。
【００５２】
また、請求項２５に係る発明の代金請求サーバでは、物品や情報やサービスの利用量に関する利用情報を収集する利用情報収集サーバにネットワークを介して接続した、前記物品や情報やサービスの代金を通信代金と併せて請求する代金請求サーバであって、前記代金請求サーバは、前記利用情報収集サーバに対して呼出しを行い、前記利用情報の送信要求をする代金請求サーバ側ポーリング手段と、前記利用情報収集サーバから送信された前記利用情報を受信する代金請求サーバ側利用情報受信手段と、当該代金請求サーバ側利用情報受信手段が受信した前記利用情報を少なくとも一時的に記憶する代金請求サーバ側利用情報記憶手段と、当該代金請求サーバ側利用情報記憶手段に記憶された前記利用情報に基づいて、代金回収データを作成する代金回収データ作成手段と、当該代金回収データ作成手段にて作成された前記代金回収データを記憶する代金回収データ記憶手段と、当該代金回収データ作成手段にて作成された前記代金回収データに基づいて前記物品や情報やサービスの代金を通信代金に併せて請求する請求データを作成する通信代金請求処理手段とを備えている。
【００５３】
この構成の代金請求サーバでは、代金請求サーバ側ポーリング手段は、利用情報収集サーバに対して呼出しを行い、利用情報の送信要求をし、代金請求サーバ側利用情報受信手段は、利用情報収集サーバから送信された利用情報を受信し、代金請求サーバ側利用情報記憶手段は、代金請求サーバ側利用情報受信手段が受信した利用情報を少なくとも一時的に記憶し、代金回収データ作成手段は、代金請求サーバ側利用情報記憶手段に記憶された利用情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて物品や情報やサービスの代金を通信代金に併せて請求する請求データを作成する。
【００５４】
また、請求項２６に係る発明の代金請求サーバでは、所定の動作を行う装置にネットワークを介して接続した、前記装置の動作状態に関する動作情報を収集する動作情報収集サーバにネットワークを介して接続した、前記装置の代金を通信代金に併せて請求する代金請求サーバであって、前記動作情報収集サーバに対して呼出しを行い、前記動作情報の送信要求をする代金請求サーバ側ポーリング手段と、前記動作情報収集サーバから送信された前記動作情報を受信する代金請求サーバ側動作情報受信手段と、当該代金請求サーバ側動作情報受信手段が受信した前記動作情報を少なくとも一時的に記憶する代金請求サーバ側動作情報記憶手段と、当該代金請求サーバ側動作情報記憶手段に記憶された前記動作情報に基づいて、代金回収データを作成する代金回収データ作成手段と、当該代金回収データ作成手段にて作成された前記代金回収データを記憶する代金回収データ記憶手段と、当該代金回収データ作成手段にて作成された前記代金回収データに基づいて前記装置の代金を通信代金に併せて請求する請求データを作成する通信代金請求処理手段とを備えている。
【００５５】
この構成の代金請求サーバでは、代金請求サーバ側ポーリング手段は、動作情報収集サーバに対して呼出しを行い、動作情報の送信要求をし、代金請求サーバ側動作情報受信手段は、動作情報収集サーバから送信された動作情報を受信し、代金請求サーバ側動作情報記憶手段は、代金請求サーバ側動作情報受信手段が受信した動作情報を少なくとも一時的に記憶し、代金回収データ作成手段は、代金請求サーバ側動作情報記憶手段に記憶された動作情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて装置の代金を通信代金に併せて請求する請求データを作成する。
【００５６】
また、請求項２７に係る発明の代金請求サーバでは、請求項２５又は２６に記載の発明の構成に加えて、前記通信代金請求処理手段は、代金支払者が銀行等金融機関と自動引落しの契約がある場合に自動引落しデータを作成し、また、クレジットカード会社と当該代金についてクレジットカード利用代金として支払いをする契約がある場合にはクレジット支払データを作成することを特徴とする構成となっている。
【００５７】
この構成の代金請求サーバでは、請求項２５又は２６に記載の発明の作用に加えて、通信代金請求処理手段は、代金支払者が銀行等金融機関と自動引落しの契約がある場合に自動引落しデータを作成し、また、クレジットカード会社と代金についてクレジットカード利用代金として支払いをする契約がある場合にはクレジット支払データを作成する。
【００５８】
また、請求項２８に係る発明の代金請求サーバでは、請求項２６又は２７の何れかに記載の発明の構成に加えて、前記動作情報は、前記装置の所定期間内の所定の動作の反復回数、前記装置が所定期間内に動作した動作量及び動作時間の少なくとも一つであることを特徴とする構成となっている。
【００５９】
この構成の代金請求サーバでは、請求項２６又は２７の何れかに記載の発明の作用に加えて、動作情報は、装置の所定期間内の所定の動作の反復回数、装置が所定期間内に動作した動作量及び動作時間の少なくとも一つが用いられる。
【００６０】
また、請求項２９に係る発明の代金請求サーバでは、請求項２５乃至２８の何れかに記載の発明の構成に加えて、前記代金回収データ作成手段は、前記利用情報又は前記動作情報に対応して決定した代金を所定期間毎に集計して、所定期間毎の代金を決定することを特徴とする構成となっている。
【００６１】
この構成の代金請求サーバでは、請求項２５乃至２８の何れかに記載の発明の作用に加えて、代金回収データ作成手段は、利用情報又は動作情報に対応して決定した代金を所定期間毎に集計して、所定期間毎の代金を決定する。
【００６２】
また、請求項３０に係る発明の代金請求サーバでは、請求項２９に記載の発明の構成に加えて、前記代金回収データ作成手段は、前記所定期間毎の代金を代金支払者毎に集計して、所定期間毎の代金支払者毎の代金を決定することを特徴とする構成となっている。
【００６３】
この構成の代金請求サーバでは、請求項２９に記載の発明の作用に加えて、代金回収データ作成手段は、所定期間毎の代金を代金支払者毎に集計して、所定期間毎の代金支払者毎の代金を決定する。
【００６４】
また、請求項３１に係る発明の代金請求サーバでは、請求項２５乃至３０の何れかに記載の発明の構成に加えて、前記代金回収データ作成手段は、前記利用情報、前記動作情報、前記代金回収データの内少なくとも１つが所定の閾値以下の場合には、前記代金の課金を行わないことを特徴とする構成となっている。
【００６５】
この構成の代金請求サーバでは、請求項２５乃至３０の何れかに記載の発明の作用に加えて、代金回収データ作成手段は、利用情報、動作情報、代金回収データの内少なくとも１つが所定の閾値以下の場合には、代金の課金を行わない。
【００６６】
また、請求項３２に係る発明の代金請求サーバでは、請求項２５乃至３１の何れかに記載の発明の構成に加えて、前記代金請求サーバ側ポーリング手段にて、前記利用情報収集サーバを呼出し、前記利用情報収集サーバに記憶された前記利用情報の送信依頼をした際や、前記動作情報収集サーバを呼出し、前記動作情報収集サーバに記憶された前記動作情報の送信依頼をした際に、前記代金請求サーバ側動作情報受信手段にて、利用情報又は動作情報ではなく、再呼出しの依頼情報又はエラー情報を受信した場合には、再呼出し処理又はエラー処理を行うことを特徴とする構成となっている。
【００６７】
この構成の代金請求サーバでは、請求項２５乃至３１の何れかに記載の発明の作用に加えて、代金請求サーバ側ポーリング手段にて、利用情報収集サーバを呼出し、利用情報収集サーバに記憶された利用情報の送信依頼をした際や、動作情報収集サーバを呼出し、動作情報収集サーバに記憶された動作情報の送信依頼をした際に、代金請求サーバ側動作情報受信手段にて、利用情報又は動作情報ではなく、再呼出しの依頼情報又はエラー情報を受信した場合には、再呼出し処理又はエラー処理を行う。
【００６８】
また、請求項３３に係る発明の代金請求サーバでは、請求項２５乃至３２の何れかに記載の発明の構成に加えて、前記通信代金は電話料金であることを特徴とする構成となっている。
【００６９】
この構成の代金請求サーバでは、請求項２５乃至３２の何れかに記載の発明の作用に加えて、通信代金は電話料金が用いられる。
【００７０】
また、請求項３４に係る発明の代金請求サーバでは、請求項２６乃至３３の何れかに記載の発明の構成に加えて、前記装置は遊技機であることを特徴とする構成となっている。
【００７１】
この構成の代金請求サーバでは、請求項２６乃至３３の何れかに記載の発明の作用に加えて、装置は遊技機が用いられる。
【００７２】
また、請求項３５に係る発明の代金請求サーバでは、請求項３４に記載の発明の構成に加えて、前記動作情報は、所定期間内に、前記遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つであることを特徴とする構成となっている。
【００７３】
この構成の代金請求サーバでは、請求項３４に記載の発明の作用に加えて、動作情報は、所定期間内に、遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つが用いられる。
【００７４】
また、請求項３６に係る発明の代金請求サーバでは、請求項２５乃至３５の何れかに記載の発明の構成に加えて、前記代金は、前記物品や情報やサービス又は前記装置の貸与を受けた者が支払う貸与代金であることを特徴とする構成となっている。
【００７５】
この構成の代金請求サーバでは、請求項２５乃至３５の何れかに記載の発明の作用に加えて、代金は、物品や情報やサービス又は装置の貸与を受けた者が支払う貸与代金が用いられる。
【００７６】
また、請求項３７に係る発明の利用情報収集サーバでは、物品や情報やサービスの代金を通信代金と併せて請求する代金請求サーバにネットワークを介して接続した、物品や情報やサービスの利用量に関する利用情報を収集する利用情報収集サーバであって、当該利用情報収集サーバの制御を司るＣＰＵと、前記利用情報を入力する利用情報収集サーバ側利用情報入力手段と、当該利用情報収集サーバ側利用情報入力手段により入力された前記利用情報を少なくとも一時的に記憶する利用情報収集サーバ側利用情報記憶手段と、当該利用情報収集サーバ側利用情報記憶手段に記憶された前記利用情報をネットワークを介して、前記代金請求サーバに送信する利用情報収集サーバ側利用情報送信手段とを備え、前記代金請求サーバから呼出され、前記利用情報収集サーバ側利用情報記憶手段に記憶された前記利用情報の送信依頼がなされた際に、まだ前記物品や情報やサービスを提供中である場合には、利用情報収集サーバ側利用情報送信手段にて前記代金請求サーバに前記利用情報を送信せずに、再呼出しの依頼情報又はエラー情報を送信することを特徴とする構成となっている。
【００７７】
この構成の利用情報収集サーバでは、ＣＰＵは利用情報収集サーバの制御を司り、利用情報収集サーバ側利用情報入力手段は、利用情報を入力し、利用情報収集サーバ側利用情報記憶手段は、利用情報収集サーバ側利用情報入力手段により入力された利用情報を少なくとも一時的に記憶し、利用情報収集サーバ側利用情報送信手段は、利用情報収集サーバ側利用情報記憶手段に記憶された利用情報をネットワークを介して、代金請求サーバに送信する。そして、代金請求サーバから呼出され、利用情報収集サーバ側利用情報記憶手段に記憶された利用情報の送信依頼がなされた際に、まだ物品や情報やサービスを提供中である場合には、利用情報収集サーバ側利用情報送信手段にて代金請求サーバに利用情報を送信せずに、再呼出しの依頼情報又はエラー情報を送信する。
【００７８】
また、請求項３８に係る発明の利用情報収集サーバでは、請求項３７に記載の発明の構成に加えて、前記通信代金は電話料金であることを特徴とする構成となっている。
【００７９】
この構成の利用情報収集サーバでは、請求項３７に記載の発明の作用に加えて、通信代金は電話料金が用いられる。
【００８０】
また、請求項３９に係る発明の利用情報収集サーバでは、請求項３７又は３８に記載の発明の構成に加えて、前記代金は、前記物品の貸与を受けた者が支払う貸与代金であることを特徴とする構成となっている。
【００８１】
この構成の利用情報収集サーバでは、請求項３７又は３８に記載の発明の作用に加えて、代金は、物品の貸与を受けた者が支払う貸与代金が用いられる。
【００８２】
【発明の実施の形態】
以下、本発明の一実施の形態について、図面を参照して説明する。図１は、本発明の代金回収システムの一実施の形態であるパチンコ機のレンタル代金回収システムのビジネスモデルの概念図である。ここでは、装置としてパチンコ機、代金としてパチンコ機のレンタル代金、代金支払者としてパチンコ店２を想定する。また、パチンコ機の動作情報として、１日の営業時間中に、パチンコ機の遊技領域（図示外）に発射された遊技球の総数である稼働球数を用いる。この稼働球数は、遊技領域に設けられた各種入賞口に入球した遊技球数と、何れの入賞口にも入球できずに遊技領域の下端部に設けられているアウト口（図示外）により回収された遊技球数との総数であり、後述する排出球センサ８４（図３参照）にて検出される。
【００８３】
この実施の形態のパチンコ機のレンタル代金回収システムでは、遊技機製造会社１はパチンコ店２にパチンコ機８（図２参照）をレンタルし、通信事業者３はパチンコ店２に、パチンコ機８の動作情報を収集する際のテレメトリングサービスを提供する。テレメトリングサービスとは、被監視装置に通信端末機器を設置し、監視装置との間で自動的に通信を行うものである。この実施形態の場合、被監視装置はパチンコ機８であり、監視装置は代金請求サーバ５（図２参照）であり、通信端末機器としては、ＰＨＳ（パーソナルハンディフォンシステム）端末１０（図２参照）を用いる。パチンコ店２で収集されたパチンコ機８の動作情報は、通信事業者３が提供する前記テレメトリングサービスを利用してＰＨＳ網１１（図２参照）を介して通信事業者３へ送られる。通信事業者３では、前記パチンコ機８の動作情報及び予め遊技機製造会社１から提供されているパチンコ機８のレンタル代金の課金情報に基づいてパチンコ機８のレンタル代金を算出し、ＰＨＳ利用通信代金と共にパチンコ店２に請求し、代金を回収する。さらに、パチンコ店２から回収した代金から、ＰＨＳ利用通信代金及び回収代行手数料を差引いた金額が通信事業者３から遊技機製造会社１へパチンコ機８のレンタル代金として支払われる。
【００８４】
次に、図２を参照して、本実施の形態のパチンコ機８のレンタル代金回収システムを構成する機器について説明する。図２はパチンコ機８のレンタル代金回収システムを構成する機器の構成を示すブロック図である。図２に示すように、パチンコ店２に設置されたパチンコ機８には、パチンコ機８の動作情報を記憶して、後述するパチンコ機ポーリングコントローラ７に送信する動作情報記憶装置９が各々設けられており、営業時間中のパチンコ機８の動作情報を計数、記憶するようになっている。パチンコ機ポーリングコントローラ７は、営業終了後に動作情報記憶装置９を順次呼出して、動作情報の送信を要求し、動作情報記憶装置９から送信された動作情報を受信して、後述する動作情報収集サーバ４に送信するようになっている。また、パチンコ機ポーリングコントローラ７には、動作情報収集サーバ４が接続されており、動作情報収集サーバ４は、パチンコ機ポーリングコントローラ７から受信した動作情報を記憶する。パチンコ店２の営業終了後には、通信事業者３に設置されている代金請求サーバ５のパチンコ店ポーリングコントローラ６が、パチンコ店２の動作情報収集サーバ４を呼出して、動作情報の送信を要求し、動作情報収集サーバ４から送信された動作情報を受信して、代金請求サーバ５に記憶する。そして、代金請求サーバ５では月末に、１ヶ月の動作情報及び課金情報に基づいて代金回収データを作成し、ＰＨＳ利用通信代金とレンタル代金を併せて請求する請求データと、銀行等金融機関への自動引落しデータやクレジットカード会社用データを作成するようになっている。
【００８５】
次に、図３を参照して、パチンコ機８及び動作情報記憶装置９について説明する。図３は、パチンコ機８及び動作情報記憶装置９のブロック図である。図３に示すように、動作情報記憶装置９には、動作情報記憶装置９の制御を司るＣＰＵ９０が設けられ、ＣＰＵ９０には、各種のデータを一時的に記憶するＲＡＭ９２と、ＣＰＵ９０で実行される制御プログラム等を記憶したＲＯＭ９１と、動作情報記憶装置９に接続されているパチンコ機８の動作情報である稼働球数を記憶する不揮発メモリであるＥＥＰ−ＲＯＭ９６と、データの受け渡しの仲介を行うＩ／Ｏインターフェース９５と、タイマ回路９７とが接続されている。Ｉ／Ｏインターフェース９５には、電波によりパチンコ機ポーリングコントローラ７と通信を行う送受信回路９３が設けられ、送受信回路９３にはアンテナ９４が設けられ、ＥＥＰ−ＲＯＭ９６には稼働球数記憶エリア９６０が設けられている。
【００８６】
また、Ｉ／Ｏインターフェース９５には、パチンコ機８の遊技球の払出装置８１に設けられている賞品球センサ８２と貸出球センサ８３及び排出球センサ８４が接続されている。この賞品球センサ８２は、パチンコ機８の発射装置（図示外）から発射された遊技球が所定の入賞口（図示外）に入賞した場合に、払い出される遊技球の数を検出するために設けられているものである。また、貸出球センサ８３は、遊技者が球貸ボタン（図示外）を押した場合に、貸し出される遊技球の数を検出するために設けられているものである。また、排出球センサ８４は、パチンコ機８の遊技領域（図示外）に発射された遊技球の総数、即ち、遊技領域に設けられた、各種入賞口に入球した遊技球数と、何れの入賞口にも入球できずに遊技領域の下端部に設けられているアウト口（図示外）により回収された遊技球数とを検出するために、遊技球の回収のための排出通路に設けられているものである。
【００８７】
次に、図４を参照して、動作情報記憶装置９に設けられているＥＥＰ−ＲＯＭ９６の稼働球数記憶エリア９６０について説明する。図４は、動作情報記憶装置９に設けられているＥＥＰ−ＲＯＭ９６の稼働球数記憶エリア９６０の模式図である。図４に示すように、稼働球数記憶エリア９６０は、当該動作情報記憶装置９が設置されているパチンコ機８の１日の動作情報である稼働球数を記憶するエリアである。図４に示す例では、１日の稼働球数は２６６００球である。
【００８８】
次に、図５を参照して、動作情報収集サーバ４の構造を説明する。図５は、動作情報収集サーバ４の電気的構成のブロック図である。図５に示すように、動作情報収集サーバ４には、動作情報収集サーバ４の制御を司るＣＰＵ４０が設けられ、ＣＰＵ４０には、各種のデータを一時的に記憶するＲＡＭ４１と、ＢＩＯＳ等を記憶したＲＯＭ４２と、データの受け渡しの仲介を行うＩ／Ｏインターフェース４３とが接続されている。Ｉ／Ｏインターフェース４３には、ハードディスク装置４８が接続され、当該ハードディスク装置４８には、パチンコ機ポーリングコントローラ７から受信した各パチンコ機８の１日の稼働球数を記憶する稼働球数記憶エリア４８０と、照合する稼働球数を記憶する照合稼働球数記憶エリア４８１と、１週間の動作情報を蓄積する蓄積動作情報記憶エリア４８３と、その他の情報記憶エリア４８４と、ＣＰＵ４０で実行されるプログラムを記憶したプログラム記憶エリア４８５とが設けられている。
【００８９】
また、Ｉ／Ｏインターフェース４３には、ビデオコントローラ４４と、キーコントローラ４５と、ＣＤ−ＲＯＭドライブ４６と、シリアルポート３１と、ポーリングコントローラ接続端子４９とが接続され、ビデオコントローラ４４にはＣＲＴ３２が接続され、キーコントローラ４５にはキーボード３３が接続されている。また、シリアルポート３１にはＰＨＳ端末１０が接続され、ＰＨＳ網１１に接続可能となっている。
【００９０】
なお、ＣＤ−ＲＯＭドライブ４６に挿入されるＣＤ−ＲＯＭ４７には、動作情報収集サーバ４の制御プログラムが記憶されており、導入時には、制御プログラムは、ＣＤ−ＲＯＭ４７から、ハードディスク装置４８にセットアップされてプログラム記憶エリア４８５に記憶されるようになっている。
【００９１】
次に、図６を参照して、パチンコ機ポーリングコントローラ７について説明する。図６は、パチンコ機ポーリングコントローラ７のブロック図である。図６に示すように、パチンコ機ポーリングコントローラ７には、パチンコ機ポーリングコントローラ７の制御を司るＣＰＵ７０が設けられ、ＣＰＵ７０には、各種のデータを一時的に記憶するＲＡＭ７２と、ＣＰＵ７０で実行される制御プログラム等を記憶したＲＯＭ７１と、データの受け渡しの仲介を行うＩ／Ｏインターフェース７５とが接続されている。Ｉ／Ｏインターフェース７５には、電波により動作情報記憶装置９と通信を行う送受信回路７３と動作情報収集サーバ接続端子７６とが設けられ、送受信回路７３には、アンテナ７４が設けられている。
【００９２】
次に、図７を参照して、動作情報収集サーバ４に設けられているハードディスク装置４８の稼働球数記憶エリア４８０について説明する。図７は、稼働球数記憶エリア４８０に記憶されている動作情報の模式図である。図７に示すように、稼働球数記憶エリア４８０には台番号（パチンコ機毎に与えられた個別番号）毎に、動作情報記憶装置９の稼働球数記憶エリア９６０に記憶されていた１日の稼働球数が記憶されている。図７に示す例では、台番号１のパチンコ機８の稼働球数は２６６００球であり、台番号２のパチンコ機８の稼働球数は、９８７６球であり、台番号３のパチンコ機８の稼働球数は１２１２１球ある。
【００９３】
次に、図８を参照して、動作情報収集サーバ４に設けられているハードディスク装置４８の照合稼働球数記憶エリア４８１について説明する。図８は、照合稼働球数記憶エリア４８１に記憶されている動作情報の模式図である。図８に示すように、照合稼働球数記憶エリア４８１には、動作情報記憶装置９の稼働球数記憶エリア９６０と動作情報収集サーバ４の稼働球数記憶エリア４８０とに記憶されている稼働球数が台番号毎に記憶される。後述する動作情報照合処理（図１９参照）において、これら稼働球数を使用する。図８に示す例では、台番号１のパチンコ機８についての動作情報記憶装置９の稼働球数記憶エリア９６０に記憶されている稼働球数は２６６００球であり、動作情報収集サーバ４の稼働球数記憶エリア４８０に記憶されている稼働球数は２６６００球であり、台番号２のパチンコ機８についての動作情報記憶装置９の稼働球数記憶エリア９６０に記憶されている稼働球数は９８７６球であり、動作情報収集サーバ４の稼働球数記憶エリア４８０に記憶されている稼働球数は９８７６球であり、台番号３のパチンコ機８についての動作情報記憶装置９の稼働球数記憶エリア９６０に記憶されている稼働球数は１２１２１球であり、動作情報収集サーバ４の稼働球数記憶エリア４８０に記憶されている稼働球数は１２１２１球である。
【００９４】
次に、図９を参照して、動作情報収集サーバ４に設けられているハードディスク装置４８の蓄積動作情報記憶エリア４８３について説明する。図９は、蓄積動作情報記憶エリア４８３に記憶されている１週間の動作情報の模式図である。図９に示すように、蓄積動作情報記憶エリア４８３には、１週間の動作情報が曜日毎に、台番号に対応した稼働球数の形で記憶されている。図９に示す例では、日曜日は１日で台番号１のパチンコ機８の稼働球数が２６６００球であり、台番号２のパチンコ機８の稼働球数が９８７６球であり、台番号３のパチンコ機８の稼働球数が１２１２１球である。月曜日は２日で台番号１のパチンコ機８の稼働球数が０球であり、台番号２のパチンコ機８の稼働球数が０球であり、台番号３のパチンコ機８の稼働球数が０球である。火曜日は３日で台番号１のパチンコ機８の稼働球数が５６７８球であり、台番号２のパチンコ機８の稼働球数が１３５７９球であり、台番号３のパチンコ機８の稼働球数が２２２２球である。水曜日は４日で台番号１のパチンコ機８の稼働球数が４００００球であり、台番号２のパチンコ機８の稼働球数が１６２３球であり、台番号３のパチンコ機８の稼働球数が４８２４球である。木曜日は５日で台番号１のパチンコ機８の稼働球数が５００球であり、台番号２のパチンコ機８の稼働球数が３２８９球であり、台番号３のパチンコ機８の稼働球数が２０７７球である。金曜日は６日で台番号１のパチンコ機８の稼働球数が３８１５２球であり、台番号２のパチンコ機８の稼働球数が２０６４球であり、台番号３のパチンコ機８の稼働球数が１３６６１球である。土曜日は６日で台番号１のパチンコ機８の稼働球数が７８４球であり、台番号２のパチンコ機８の稼働球数が４８０２４球であり、台番号３のパチンコ機８の稼働球数が３７１８２球である。
【００９５】
次に、図１０を参照して通信事業者３に設置される代金請求サーバ５の構造を説明する。図１０は、代金請求サーバ５の電気的構成のブロック図である。図１０に示すように、代金請求サーバ５には、代金請求サーバ５の制御を司るＣＰＵ５０が設けられ、ＣＰＵ５０には、各種のデータを一時的に記憶するＲＡＭ５１と、ＢＩＯＳ等を記憶したＲＯＭ５２と、データの受け渡しの仲介を行うＩ／Ｏインターフェース５３とが接続されている。Ｉ／Ｏインターフェース５３には、ハードディスク装置５８が接続され、当該ハードディスク装置５８には、パチンコ店２の動作情報収集サーバ４から受信した１ヶ月間のパチンコ機８の動作情報をパチンコ店毎に記憶する動作情報記憶エリア５８０と、動作情報より算出した１ヶ月間のレンタル代金をパチンコ店毎に記憶するパチンコ機別レンタル代金記憶エリア５８１と、パチンコ店２毎の代金回収データを記憶する代金回収データ記憶エリア５８２と、予め遊技機製造会社１から提供された課金情報を記憶する課金用テーブル記憶エリア５８３と、パチンコ店の基本情報を記憶する顧客情報記憶エリア５８４と、ＣＰＵ５０で実行されるプログラムを記憶したプログラム記憶エリア５８５と、その他の情報記憶エリア５８６とが設けられている。
【００９６】
また、Ｉ／Ｏインターフェース５３には、ビデオコントローラ５４と、キーコントローラ５５と、ＣＤ−ＲＯＭドライブ５６と、ＰＨＳ網接続アダプタ３４とが接続され、ビデオコントローラ５４にはＣＲＴ３５が接続され、キーコントローラ５５にはキーボード３６が接続されている。さらに、ＰＨＳ網接続アダプタ３４はＰＨＳ網１１に接続可能となっている。
【００９７】
なお、ＣＤ−ＲＯＭドライブ５６に挿入されるＣＤ−ＲＯＭ５７には、代金請求サーバ５の制御プログラムが記憶されており、導入時には、制御プログラムは、ＣＤ−ＲＯＭ５７から、ハードディスク装置５８にセットアップされてプログラム記憶エリア５８５に記憶されるようになっている。
【００９８】
次に、図１１を参照して、代金請求サーバ５に設けられているハードディスク装置５８の動作情報記憶エリア５８０について説明する。図１１は、動作情報記憶エリア５８０に記憶されている１ヶ月のパチンコ店毎の、パチンコ機毎の動作情報の模式図である。図１１に示すように、動作情報記憶エリア５８０には、パチンコ店毎に１ヶ月間の動作情報が、パチンコ機毎に記憶されている。図１１に示す例では、Ａホールの台番号１の１日のパチンコ機８の稼働球数が２６６００球であり、２日の稼働球数が０球であり、３１日の稼働球数が５２５２５球であり、台番号２の１日の稼働球数が９８７６球であり、２日の稼働球数が０球であり、３１日の稼働球数が４８３３球である。また、Ｂホールの台番号１の１日のパチンコ機８の稼働球数が１６１６球であり、２日の稼働球数が１２３４５球であり、３１日の稼働球数が３８３８３球であり、台番号２の１日の稼働球数が４９４９４球であり、２日の稼働球数が４５６４５６球であり、３１日の稼働球数が１６１６１球である。
【００９９】
次に、図１２を参照して、代金請求サーバ５に設けられているハードディスク装置５８のパチンコ機別レンタル代金記憶エリア５８１について説明する。図１２は、パチンコ機別レンタル代金記憶エリア５８１に記憶されている１ヶ月のパチンコ店毎の、パチンコ機毎のレンタル代金の模式図である。図１２に示すように、パチンコ機別レンタル代金記憶エリア５８１には、動作情報記憶エリア５８０に記憶されている動作情報に基づいて算出されたパチンコ機８毎のレンタル代金が、パチンコ店毎に１ヶ月間分記憶されている。図１２に示す例では、Ａホールの１日の台番号１のパチンコ機８のレンタル代金が１５００円であり、台番号２の稼働球数が５００円であり、合計が８２５０円でる。Ａホールの２日の台番号１のレンタル代金が０円であり、台番号２のレンタル代金が０円であり、合計が０円である。Ａホールの３１日の台番号１のレンタル代金が２０５０円であり、台番号２のレンタル代金が２５０円であり、合計が１２８００円である。Ｂホールの１日の台番号１のパチンコ機８のレンタル代金が２５０円であり、台番号２の稼働球数が２０５０円であり、合計が１２３００円でる。Ｂホールの２日の台番号１のレンタル代金が７５０円であり、台番号２のレンタル代金が２０５０円であり、合計が３２１００円である。Ｂホールの３１日の台番号１のレンタル代金が２０００円であり、台番号２のレンタル代金が７５０円であり、合計が４５４５０円である。
【０１００】
次に、図１３を参照して、代金請求サーバ５に設けられているハードディスク装置５８の代金回収データ記憶エリア５８２について説明する。図１３は、代金回収データ記憶エリア５８２に記憶されている代金回収データの模式図である。図１３に示すように、代金回収データ記憶エリア５８２には、パチンコ店２毎に１ヶ月間のパチンコ機８のレンタル代金の合計金額であり、パチンコ店２へ請求するパチンコ機８の１ヶ月のレンタル代金である回収金額が記憶されている。図１３に示す例では、Ａホールの回収金額が２８６５５０円、Ｂホールの回収金額が７４１０００円、Ｃホールの回収金額が５４３０５０円である。
【０１０１】
次に、図１４を参照して、代金請求サーバ５に設けられている５８３に記憶されている課金用テーブル５８３ａについて説明する。図１４は、課金用テーブル記憶エリア５８３に記憶されている課金用テーブル５８３ａの模式図である。図１４に示すように、課金用テーブル５８３ａには、１日当たりの稼働球数と、その稼働球数に基づいて決定されるパチンコ機８の１日のレンタル代金が記憶されている。例えば、１日の稼働球数が１０００球までは１台当たり５０円とし、１００１球以上５０００球までは１台当たり２５０円とし、５００１球以上１００００球までは１台当たり５００円とし、１０００１球以上１５０００球までは１台当たり７５０円とし、１５００１球以上２００００球までは１台当たり１０００円とし、２０００１球以上２５０００球までは１台当たり１２５０円とし、２５００１球以上３００００球までは１台当たり１５００円とし、３０００１球以上４００００球までは１台当たり２０００円とし、４０００１球以上は１台当たり２０５０円とする。
【０１０２】
次に、上記のように構成された本実施の形態のパチンコ機のレンタル代金回収システムの動作について図１５乃至図２１を参照して説明する。図１５は、動作情報記憶装置９が動作情報収集サーバ４へ動作情報を送信する送信処理のフローチャートであり、図１６は、動作情報記憶装置９がパチンコ機８の稼働球数を計数する稼働球数計数処理のフローチャートである。図１７は、動作情報収集サーバ４が動作情報記憶装置９から動作情報を収集する収集処理のフローチャートであり、図１８は、動作情報収集サーバ４が代金請求サーバ５へ動作情報を送信する送信処理のフローチャートであり、図１９は、動作情報収集サーバ４にて、動作情報記憶装置９に記憶されている稼働球数と動作情報収集サーバ４に記憶されている稼働球数とが同一のものであるか否かを確認し、異なっている場合には、正しい動作情報を記憶し直す照合処理のフローチャートである。図２０は、代金請求サーバ５が各パチンコ店２に設置された動作情報収集サーバ４から動作情報を収集し、パチンコ店２毎のパチンコ機８のレンタル代金を決定し、請求データを作成する一連の代金請求サーバ処理のフローチャートである。図２１は、代金請求サーバ処理の中で行う月末処理のフローチャートである。
【０１０３】
まず、図１５を参照して、動作情報記憶装置９が動作情報収集サーバ４へ動作情報を送信する送信処理を説明する。これは、動作情報記憶装置９が稼働球数計数処理プログラムを起動させることにより、パチンコ機８の稼働球数を計数し、さらに、動作情報収集サーバ４のパチンコ機ポーリングコントローラ７から行われるポーリングによる要求に応じて、計数された稼働球数を動作情報として動作情報収集サーバ４へ送信するものである。
【０１０４】
動作情報記憶装置９は、タイマ回路９７から得る時刻データにより、設定されているパチンコ店２の営業開始時刻の確認を行い（Ｓ１）、営業開始時刻になるまでは、繰り返し営業開始時刻の確認を行う（Ｓ１：ＮＯ）。営業開始時刻になると（Ｓ１：ＹＥＳ）、まず、これから収集する稼働球数を記憶する動作情報記憶装置９の稼働球数記憶エリア９６０の動作情報の値を「０」に初期化し（Ｓ２）、稼働球数計数処理プログラム（図１６参照）を起動する（Ｓ３）。稼働球数計数処理プログラムでは、パチンコ機８の排出球センサ８４が遊技球を感知すると、稼働球数記憶エリア９６０の稼働球数欄に足し込みをする。なお、ここでは稼働球数計数処理プログラムの起動時刻を計数開始時刻としてその他の情報記憶エリアに記憶しておく。
【０１０５】
次いで、動作情報収集サーバ４のパチンコ機ポーリングコントローラ７からの呼出しを待機する（Ｓ４）。動作情報収集サーバ４のパチンコ機ポーリングコントローラ７から呼出されたら、その呼出しのＩＤ情報が自己のＩＤ情報であるか否かすなわち自己の呼出しであるか否かを確認し（Ｓ５）、自己の呼出しでなかった場合には（Ｓ５：ＮＯ）、Ｓ４へ戻り、パチンコ機ポーリングコントローラ７からの呼出しを待機する。自己の呼出しであった場合には収集処理（図１７参照）からの動作情報の要求であるか否かを確認する（Ｓ５：ＹＥＳ、Ｓ６）。次いで、収集処理（図１７参照）からの動作情報の要求であった場合には（Ｓ６：ＹＥＳ）、動作情報である稼働球数を動作情報収集サーバ４へ送信し（Ｓ７）（「動作情報記憶装置側動作情報送信手段」に該当）、稼働球数計数処理プログラムへ終了指示を与えて（Ｓ８）、Ｓ４へ戻り、引き続きパチンコ機ポーリングコントローラ７からの呼出しを待機する（Ｓ４）。なお、ここでは稼働球数計数処理プログラムの終了時刻を計数終了時刻としてその他の情報記憶エリアに記憶しておく。次いで、呼出しが収集処理（図１７参照）からの動作情報の要求でなかった場合には（Ｓ６：ＮＯ）、照合処理（図１９参照）からの動作情報、計数開始時刻、計数終了時刻の要求であるかを確認する（Ｓ９）。照合処理からの呼出しであった場合には（Ｓ９：ＹＥＳ）、動作情報、計数開始時刻、計数終了時刻を動作情報収集サーバへ送信し（Ｓ１０）（「動作情報記憶装置側動作情報送信手段」に該当）、Ｓ４へ戻る。また、照合処理からの呼出しでなかった場合には（Ｓ９：ＮＯ）、稼働終了電文であるかを確認し（Ｓ１１）、稼働終了電文でない場合にはエラー情報を送信して（Ｓ１１：ＮＯ、Ｓ１２）Ｓ４へ戻り、稼働終了電文である場合には動作情報記憶装置９の稼働を終了して（Ｓ１１：ＹＥＳ、Ｓ１３）、本処理を終了する。
【０１０６】
次に、図１６を参照して、動作情報記憶装置９がパチンコ機８の動作情報を計数する稼働球数計数処理を説明する。これは、動作情報記憶装置９がパチンコ機８の排出球センサ８４が遊技球を感知した場合に、動作情報記憶装置９がパルス信号を受信して１パルス信号を１球としてパチンコ機８の稼働球数を計数するものである。動作情報記憶装置９は、動作情報収集サーバ４への動作情報送信処理（図１５参照）から、稼働球数計数処理プログラムの起動指示を与えられて（Ｓ３）、稼働球数のカウントを開始する（スタート）。まず、動作情報記憶装置９の動作情報収集サーバ４への送信処理から稼働球数計数処理プログラム終了の指示が与えられてないかを確認し（Ｓ３５）、与えられていない場合には（Ｓ３５：ＮＯ）、排出球センサ８４からの信号受信かを判断し（Ｓ３６）、信号受信であれば稼働球数に「１」を足し（Ｓ３６：ＹＥＳ、Ｓ３７）、Ｓ３５へ戻る。排出球センサ８４からの信号受信でない場合には（Ｓ３６：ＮＯ）、Ｓ３５へ戻る。ここで動作情報記憶装置９の動作情報収集サーバ４への送信処理から稼働球数計数処理プログラム終了の指示が与えられていない場合には（Ｓ３５：ＮＯ）、引き続き、排出球センサ８４からの信号受信を確認し（Ｓ３６）、稼働球数の計数処理を続ける。稼働球数計数処理プログラム終了の指示が与えられた場合には（Ｓ３５：ＹＥＳ）、本稼働球数計数処理プログラムを終了させる。
【０１０７】
次に、図１７を参照して、動作情報収集サーバ４が動作情報記憶装置９から動作情報を収集する収集処理を説明する。これは、動作情報収集サーバ４が１日の営業終了後にパチンコ機ポーリングコントローラ７を制御して、パチンコ店２内のパチンコ機８に各々備えられた動作情報記憶装置９を順次呼出し、動作情報記憶装置９に記憶された動作情報を収集するものである。具体的には、まず、動作情報収集サーバ４で、営業開始時刻か否かを判断し（Ｓ２１）、営業開始時刻でない場合には（Ｓ２１：ＮＯ）、その時刻になるまで繰り返し時刻確認（Ｓ２１）を行う。営業開始時刻になったら（Ｓ２１：ＹＥＳ）、これから収集する動作情報を記憶するハードディスク装置４８の稼働球数記憶エリア４８０と、照合稼働球数記憶エリア４８１と、全パチンコ機８の動作情報収集が終了したか否かを示す終了フラグとを全て「０」に初期化し、本日が日曜日であった場合には蓄積動作情報記憶エリア４８３稼働球数欄に全て「０」を、日付欄に当該週の日付をセットして初期化する（Ｓ２２）。
【０１０８】
次いで、終了フラグが「１」であるか否かを確認し（Ｓ２３）、終了フラグが「１」でない場合には動作情報の呼出し時刻であるか否かを確認する（Ｓ２３：ＮＯ、Ｓ２４）。呼出し時刻は、営業終了後の時刻に設定されている。呼出し時刻でない場合にはその時刻になるまで繰り返し時刻確認を行い（Ｓ２４：ＮＯ）、呼出し時刻である場合には呼出しパチンコ機８を示す呼出しパチンコ機カウンタｊの値を「０」に初期化する（Ｓ２４：ＹＥＳ、Ｓ２５）。
【０１０９】
次いで、呼出しパチンコ機カウンタｊの値を「ｊ＝ｊ＋１」として「１」だけ増加し（Ｓ２６）、呼出しパチンコ機カウンタｊの値が全パチンコ機数よりも大か否かにより、全パチンコ機８の呼出しが終了したかの確認を行い（Ｓ２７）、終了していない場合には（Ｓ２７：ＮＯ）、ｊ番目のパチンコ機８の呼出しを行って動作情報送信要求をする（Ｓ２８）。この呼出し処理では、動作情報収集サーバ４のポーリングコントローラ接続端子４９に接続されているパチンコ機ポーリングコントローラ７を用いて、各パチンコ機８に接続されている動作情報記憶装置９に対して、動作情報記憶装置９を個別に呼出す識別符号であるＩＤ情報と動作情報要求命令とからなるデータ信号を電波で送信する。次いで、当該受信した情報が当該呼出したｊ番目のパチンコ機８の動作情報であるか否かを判断し（Ｓ２９）、そうでない場合には（Ｓ２９：ＮＯ）、Ｓ２８へ戻り再びｊ番目のパチンコ機８の呼出しを行う（Ｓ２８）。当該受信した情報が当該呼出したパチンコ機８の動作情報であった場合には（Ｓ２９：ＹＥＳ）、一緒に送られてきたＩＤ情報に基づいて、図７に示すハードディスク装置４８の稼働球数記憶エリア４８０に台番号に対応させて、動作情報である稼働球数を記憶し（Ｓ３０）、Ｓ２６へ戻る。
【０１１０】
Ｓ２６へ戻った後は、さらに呼出しパチンコ機カウンタｊの値を「ｊ＝ｊ＋１」として「１」だけ増加し（Ｓ２６）、全パチンコ機８の呼出しが終了したかの確認を行い（Ｓ２７）、終了していない場合には（Ｓ２７：ＮＯ）、引き続きｊ番目のパチンコ機８の呼出しを行う（Ｓ２８）。全パチンコ機８の呼出しが終了した場合には（Ｓ２７：ＹＥＳ）、終了フラグに「１」をセットして（Ｓ３１）、Ｓ２３へ戻る。Ｓ２３へ戻った後は、終了フラグが「１」であるか否かを確認し（Ｓ２３）、終了フラグが「１」である場合には（Ｓ２３：ＹＥＳ）、処理を終了する。
【０１１１】
さらに、図１８を参照して動作情報収集サーバ４が代金請求サーバ５へ動作情報を送信する送信処理を説明する。これは、動作情報収集サーバ４が代金請求サーバ５のパチンコ店ポーリングコントローラ６から１日１回、営業終了後に行われる呼出しによる要求に応じて、パチンコ店２内のパチンコ機８から収集した動作情報を代金請求サーバ５へ送信するものであり、送信時には、動作情報収集サーバ４に記憶されている動作情報がパチンコ機８の動作情報記憶装置９に記憶されている動作情報と同じものであるか否かを判断し、異なっている場合には、正しい動作情報を記憶し直す照合処理を行う。また、代金請求サーバ５から動作情報収集サーバ４が呼出された時点で、まだパチンコ店２が営業中であった場合には、動作情報を送信せずに、再呼出しの依頼情報又はエラー情報を送信する。
【０１１２】
具体的には、本処理は、まず代金請求サーバ５のパチンコ店ポーリングコントローラ６からの呼出しを待機している（Ｓ４１）。パチンコ店ポーリングコントローラ６からの呼出しが行われると、自己の呼出しであるか否かの確認をし（Ｓ４２）、自己の呼出しでない場合には（Ｓ４２：ＮＯ）、Ｓ４１へ戻り、自己の呼出しである場合には（Ｓ４２：ＹＥＳ）、当該呼出しが代金請求サーバ５からの呼出しであるか否かの確認をする（Ｓ４３）。代金請求サーバ５からの呼出しでない場合には（Ｓ４３：ＮＯ）、Ｓ４１へ戻り、代金請求サーバ５からの呼出しである場合には（Ｓ４３：ＹＥＳ）、営業が終了しているか否かを判断する（Ｓ４４）。この判断は、図１７を参照して前述した動作情報収集サーバ４の収集処理にて使用している終了フラグの値が「１」であるか否かにより行う。終了フラグの値が「１」でなく、パチンコ店２の営業が終了していない場合には（Ｓ４４：ＮＯ）、現在の時刻と閉店予定時刻とを比較し（Ｓ５２）、現在の時刻が閉店予定時刻より１時間以上前である場合には（Ｓ５２：ＹＥＳ）、その旨を記したエラー情報を代金請求サーバ５へ送信し（Ｓ５４）、現在時刻と閉店予定時刻の差が１時間より短い場合には（Ｓ５２：ＮＯ）、１０分後の再呼出しを依頼する依頼情報を代金請求サーバ５へ送信して（Ｓ５３）、Ｓ４１へ戻り、代金請求サーバ５からの呼出しを待機する（Ｓ４１）。
【０１１３】
Ｓ４４にて、終了フラグの値が「１」であり、営業が終了していると判断した場合には（Ｓ４４：ＹＥＳ）、動作情報収集サーバ４の稼働球数記憶エリア４８０に記憶されている動作情報の照合処理を全パチンコ機８に対して行い、稼働球数記憶エリア４８０へ本日の動作情報をセットする（Ｓ４５から４９）。まず、照合処理を行うパチンコ機８を示す照合パチンコ機カウンタｋの値を「０」に初期化する（Ｓ４５）。さらに照合パチンコ機カウンタｋの値を「ｋ＝ｋ＋１」として「１」だけ増加し（Ｓ４６）、全パチンコ機８の呼出しが終了したかの確認を行い（Ｓ４７）、終了していない場合には（Ｓ４７：ＮＯ）、ｋ番目のパチンコ機８の照合処理を行い、（Ｓ４８、図１９参照）、照合稼働球数記憶エリア４８１に記憶されている動作情報収集サーバ側稼働球数を稼働球数記憶エリア４８０のｋ番目のパチンコ機８の欄に記憶して（Ｓ４９）、Ｓ４６へ戻る。全パチンコ機８の照合処理が終了し、稼働球数記憶エリア４８０へ全てのパチンコ機８の動作情報が記憶された場合には（Ｓ４７：ＹＥＳ）、代金請求サーバ５へ動作情報を送信して（Ｓ５０）（「動作情報収集サーバ側動作情報送信手段」に該当）、稼働球数記憶エリア４８０に記憶された動作情報を、蓄積動作情報記憶エリア４８３の本日の欄に記憶し（Ｓ５１）、処理を終了する。この代金請求サーバ５への送信について、動作情報は公開鍵等を用いて暗号化されて送信され、代金請求サーバ５側で復号化されることになる。
【０１１４】
次に、図１９を参照して、動作情報収集サーバ４にて行われる照合処理を説明する。これは、動作情報収集サーバ４にて、動作情報記憶装置９に記憶されている動作情報と動作情報収集サーバ４に記憶されている動作情報とが同一のものであるか否かを確認し、異なっている場合には、正しい動作情報を記憶し直すものであり、前述した動作情報収集サーバ４にて代金請求サーバ５への送信処理（図１８参照）の中のＳ４８でｋ番目のパチンコ機８に対して行われる。
【０１１５】
まず、動作情報収集サーバ４はｋ番目のパチンコ機８の動作情報記憶装置９を呼出して動作情報、計数開始時刻、計数終了時刻を要求し（Ｓ６１）、受信した情報がｋ番目のパチンコ機の情報でない場合には再度当該パチンコ機８の動作情報の送信要求を行い（Ｓ６２：ＮＯ、Ｓ６１）、受信した情報がｋ番目のパチンコ機８の情報である場合には（Ｓ６２：ＹＥＳ）、照合稼働球数記憶エリア４８１の動作情報記憶装置９側のｋ番目の欄に記憶する（Ｓ６３）。ここで、図１９では、動作情報記憶装置９側の稼働球数をＰと表わすこととする。そして、動作情報記憶装置９において計数処理プログラムを起動させた時刻（図１５、Ｓ３参照）及び計数処理プログラムを終了させた時刻（図１５、Ｓ８参照）から計数時間を算出する（Ｓ６４）。そして、Ｐの値が正常値か否かを確認する（Ｓ６５）。この判断は、Ｐの値を計数時間（分）×１００球と比較することにより行われ、計数時間（分）×１００以上である場合に、正常でないと判断される。パチンコ機８で１分間に遊技領域に発射される遊技球は１００球未満であるので、当該パチンコ機８が計数時間中に遊技領域に発射できる遊技球は計数時間（分）×１００球未満である。したがって、Ｐの値が計数時間（分）×１００球以上である場合は、動作情報記憶装置９の稼働球数記憶エリア９６０自体のデータが破壊されていたり、または動作情報記憶装置９から動作情報収集サーバ４へデータを送信中にデータが破壊されていたりすることが考えられるので、正常値でない場合には（Ｓ６５：ＮＯ）、エラー処理を行って（Ｓ７０）、Ｓ６９へ進み、ｋ番目のパチンコ機８に備えられた動作情報記憶装置９へ本日の処理を終了させる稼働終了電文を送信して（Ｓ６９）、本照合処理を終了する。このエラー処理は、遊技場担当者又は遊技場担当者から連絡を受けた遊技機製造会社担当者が行う。具体的には、再度動作情報記憶装置９の動作情報を取得したり、動作情報記憶装置に記憶されている動作情報を直接読み取り稼働球数記憶エリア４８０へ記憶させたり、エラーを示す値として９９９９９９球を稼働球数記憶エリア４８０へ記憶させたりする。
【０１１６】
Ｐが正常値である場合には（Ｓ６５：ＹＥＳ）、動作情報収集サーバ４の稼働球数記憶エリア４８０に記憶されたｋ番目のパチンコ機８の稼働球数を照合稼働球数記憶エリア４８１の動作情報収集サーバ側のｋ番目の欄に記憶する（Ｓ６６）。ここで、図１９では、動作情報収集サーバ側の稼働球数をＱと表わすこととする。次いで、ＰとＱの値の差（ＱからＰを引いた絶対値）を求めて、その値が０以下であるか否かを確認する（Ｓ６７）。０以下である場合には（Ｓ６７：ＹＥＳ）、Ｑに正しい値が記憶されている、すなわち動作情報収集サーバの稼働球数記憶エリア４８０のｋ番目の稼働球数には正しい値が記憶されているので、Ｓ６９へ進み、ｋ番目のパチンコ機８に備えられた動作情報記憶装置９へ本日の処理を終了させる稼働終了電文を送信して（Ｓ６９）、本照合処理を終了する。動作情報記憶装置９は稼働終了電文を受取ることにより、本日の処理が終了したことを認識し、稼働を終了する。また、ＰとＱの値の差（ＱからＰを引いた絶対値）が０以下でない場合には（Ｓ６７：ＮＯ）、Ｑの値が誤っており、改竄されている可能性があるので、Ｐを稼働球数記憶エリア４８０のｋ番目のパチンコ機８の稼働球数欄へ記憶し（Ｓ６８）、Ｓ６９へ進み、ｋ番目のパチンコ機８に備えられた動作情報記憶装置９へ本日の処理を終了させる稼働終了電文を送信して（Ｓ６９）、本照合処理を終了する。
【０１１７】
次に、図２０を参照して代金請求サーバ５が各パチンコ店２に設置された動作情報収集サーバ４から動作情報を収集し、パチンコ店２毎のパチンコ機８のレンタル代金を決定し、請求データを作成する一連の代金請求サーバ処理を説明する。まず、各パチンコ店２から動作情報を取得したか否かの判断に用いる情報取得フラグを全て「０」に初期化する（Ｓ８０）。次いで、全パチンコ店２から動作情報を取得したか否かを確認する（Ｓ８１）。これは、全パチンコ店２の情報取得フラグが「１」であるか否かにより判断する。全パチンコ店２から動作情報を取得し終えていない場合（Ｓ８１：ＮＯ）、呼出しパチンコ店カウンタｎに「０」をセットし（Ｓ８２）、次いで、呼出しパチンコ店カウンタｎの値を「ｎ＝ｎ＋１」として「１」だけ増加する（Ｓ８３）。ｎが全パチンコ店数より大きいか否かにより、全パチンコ店２の処理を終了したか否かの確認をし（Ｓ８４）、全パチンコ店２の処理が終了していない場合は（Ｓ８４：ＮＯ）、ｎ番目のパチンコ店２の動作情報収集サーバ４の呼出し時刻であるか否かを判断し（Ｓ８５）、呼出し時刻でない場合には（Ｓ８５：ＮＯ）、Ｓ８３へ戻る。次いで、ｎ番目のパチンコ店２の情報取得フラグが「１」であるか否かを確認し（Ｓ８６）、「１」である場合には（Ｓ８６：ＹＥＳ）すでに動作情報取得は終了しているので、Ｓ８３へ戻り、次のパチンコ店２の処理を行う。情報取得フラグが「１」でない場合には（Ｓ８６：ＮＯ）、パチンコ店ポーリングコントローラ６を制御して、ｎ番目のパチンコ店２の動作情報収集サーバ４の呼出しを行う（Ｓ８７）。
【０１１８】
次いで、ｎ番目のパチンコ店２の動作情報収集サーバ４から受信した情報が、動作情報であるか否かを確認する（Ｓ８８）。動作情報である場合には（Ｓ８８：ＹＥＳ）、受信した情報をハードディスク装置５８の動作情報記憶エリア５８０の該当パチンコ店２の本日の欄に記憶する（Ｓ８９）。次いで、当該動作情報記憶エリア５８０の動作情報及び図１４の課金テーブルに基づいて、パチンコ機８毎のレンタル代金を算出し、パチンコ機別レンタル代金記憶エリア５８１の該当パチンコ店２の本日の欄に記憶し（Ｓ９０）、ｎ番目のパチンコ店２の情報取得フラグに「１」をセットする（Ｓ９１）。次いで、本日が月末日であるか否かを確認し（Ｓ９２）、月末日でない場合には（Ｓ９２：ＮＯ）、Ｓ８３へ戻り、月末日である場合には（Ｓ９２：ＹＥＳ）、後述する月末処理（Ｓ９３、図２１参照）を行った後、Ｓ８３へ戻る。
【０１１９】
図１１、１２及び１４に示す例で、レンタル代金算出処理（Ｓ９０）を考える。図１１の動作情報記憶エリア５８０及び図１４の課金用テーブル５８３ａに基づいて、パチンコ機８のレンタル代金が算出され、図１２のパチンコ機別レンタル代金記憶エリア５８１に記憶される。動作情報記憶エリア５８０のＡホールの３１日の台番号１の欄には５２５２５球と記憶されており、４０００１球以上は２０５０円なので、パチンコ機別レンタル代金記憶エリア５８１のＡホールの３１日の台番号１の欄に２０５０円が、動作情報記憶エリア５８０のＡホールの３１日の台番号２の欄には４８３３球と記憶されており、１００１球以上５０００球までは２５０円なので、パチンコ機別レンタル代金記憶エリア５８１のＡホールの３１日の台番号２の欄に２５０円が記憶される。また、Ａホールの３１日の合計レンタル代金は１２８００円である。
【０１２０】
また、Ｓ８８にて受信した情報が動作情報でないと判断された場合（Ｓ８８：ＮＯ）、再呼出しの依頼であるか否かを判断する（Ｓ９４）。再呼出し依頼である場合には（Ｓ９４：ＹＥＳ）、ｎ番目のパチンコ店２の呼出し時刻を１０分後にセットし（Ｓ９５）、Ｓ８３へ戻る。再呼出し依頼でない場合には（Ｓ９４：ＮＯ）、呼出しが閉店予定時刻の１時間より早かったというエラー情報であるか否かを確認し（Ｓ９６）、そうである場合には（Ｓ９６：ＹＥＳ）、代金請求サーバ５のＣＲＴ３５に、呼出し時刻、パチンコ店２番号、閉店予定時刻等を表示して、オペレータが呼出し時刻や代金請求サーバ５の時間設定に誤りがないかを確認するエラー処理を行い（Ｓ９７）、エラー処理終了後、Ｓ８３へ戻る。また、エラー情報でない場合には（Ｓ９６：ＮＯ）、予測される情報以外の情報を動作情報収集サーバ４から受信した旨をＣＲＴ３５に表示し、オペレータがエラー対処を行い（Ｓ９８）、エラー対処終了後、Ｓ８３へ戻る。
【０１２１】
Ｓ８３へ戻った後は、パチンコ店カウンタｎの値を「ｎ＝ｎ＋１」として「１」だけ増加し（Ｓ８３）、ｎが全パチンコ店数より大きいか否かにより、全パチンコ店２の処理を終了したか否かの確認をし（Ｓ８４）、全パチンコ店２の処理が終了した場合には（Ｓ８４：ＹＥＳ）、Ｓ８１へ戻り、全パチンコ店２の情報取得フラグが「１」であるか否かにより全パチンコ店２の動作情報を取得したかの確認を行い（Ｓ８１）、全パチンコ店２の動作情報を取得した場合には（Ｓ８１：ＹＥＳ）、処理を終了し、全パチンコ店２の動作情報を取得していない場合には（Ｓ８２：ＮＯ）、引き続き情報取得処理を行う（Ｓ８２〜Ｓ９８）。
【０１２２】
次に、図２１を参照して、代金請求サーバ処理の中で行う月末処理（図２０、Ｓ９３）について説明する。まず、代金回収データを作成する（Ｓ９３１）。具体的には、パチンコ機別レンタル代金記憶エリア５８１に記憶されているパチンコ機８毎のレンタル代金を日付毎に集計し、日付毎のレンタル代金を集計して１ヶ月毎の合計を算出することにより、当該パチンコ店２の回収代金を決定し、代金回収データ記憶エリア５８２の当該パチンコ店２の欄に記憶する（Ｓ９３１）。次いで、顧客情報記憶エリア５８４に記憶されているパチンコ店２の顧客情報を呼出し（Ｓ９３２）、当該顧客情報及び代金回収データ記憶エリア５８２に記憶されている代金回収データに基づいて、ＰＨＳ利用通信代金とレンタル代金を合わせて請求する請求データを作成する（Ｓ９３３）。また、顧客情報により銀行等金融機関と自動引落しの契約またはクレジットカード会社と当該代金についてクレジットカード利用代金として支払いをする契約があるか否かを確認し（Ｓ９３４）、契約がある場合には（Ｓ９３４：ＹＥＳ）、金融機関用データ又はクレジットカード会社用データを作成する（Ｓ９３５）。契約がない場合には（Ｓ９３４：ＮＯ）、何もしない。次いで、動作情報記憶エリア５８０、パチンコ機別レンタル代金記憶エリア５８１、代金回収データ記憶エリア５８２の当該パチンコ店２の情報をクリアし（Ｓ９３６）、処理を終了する。
【０１２３】
図１２及び１３に示す例を考えると、パチンコ機別レンタル代金記憶エリア５８１のＡホールの１日の合計レンタル代金は８２５０円で、２日の合計レンタル代金は０円で、３１日の合計レンタル代金は１２８００円であり、１日から３１日までの合計レンタル代金の合計が、図１３の代金回収データ記憶エリア５８２のＡホール欄に２８６５５０円と記憶されている。
【０１２４】
したがって、上記の実施の形態のパチンコ機のレンタル代金回収システムでは、図１に示すパチンコ機のレンタル代金回収システムの概念図にあるように、代金受取者である遊技機製造会社１と代金支払者であるパチンコ店２と通信事業者３とは、パチンコ機８のレンタル代金の回収代行契約を結び、遊技機製造会社１は、通信事業者３へ課金用テーブル５８３ａのデータを提供し、パチンコ店２へはパチンコ機８がレンタルされ、通信事業者３はパチンコ店２へＰＨＳ網１１を利用したテレメトリングサービスを提供する。さらに、契約開始後、通信事業者３は代金請求サーバ５を用いて、上記のようにパチンコ機８のレンタル代金を１ヶ月毎に求めて、パチンコ店２に対して、ＰＨＳ利用通信代金の請求に併せてパチンコ機８のレンタル代金を請求する。パチンコ店２からは代金が通信事業者３に支払われ、通信事業者３からはパチンコ店２からの収納額からＰＨＳ利用通信代金及び代金回収手数料を引いたものが遊技機製造会社１に振り込まれる。
【０１２５】
以上説明したように、本実施の形態のパチンコ機のレンタル代金回収システムでは、パチンコ店２に設置された動作情報収集サーバ４は、パチンコ店２に設置したパチンコ機８に接続された動作情報記憶装置９に対して、パチンコ機ポーリングコントローラ７を用いて、順次ポーリングを行い、パチンコ機８の動作情報を受信することにより、動作情報を記憶することができる。そして、通信事業者３に設けた代金請求サーバ５は、動作情報収集サーバ４に対して、パチンコ店ポーリングコントローラ６を用いて、順次ポーリングを行い、パチンコ店２に設置された動作情報収集サーバ４に記憶された動作情報を、ＰＨＳ網１１を介したテレメトリングサービスを利用して、受信することができ、代金請求サーバ５では、動作情報を記憶し、パチンコ店毎のパチンコ機のレンタル代金回収データを作成することができる。その後、通信事業者３は、パチンコ店２に対してＰＨＳ利用通信代金の請求に併せて、１ヶ月分のパチンコ機８のレンタル代金を請求し、回収することができる。
【０１２６】
したがって、レンタル代金はＰＨＳ利用通信代金と共に回収され、代金回収手数料及びＰＨＳ利用通信代金を差し引いた金額が遊技機製造会社１に振り込まれるため、パチンコ店２はレンタル代金決定に関与する動作情報の受け渡しやレンタル代金算出の手間なく、また、遊技機製造会社１はレンタル代金の算出、請求及び回収の手間なく、代金の受け渡しができる。さらに、レンタル代金はパチンコ機８の稼働状況に応じて支払えば良いために、パチンコ店２は、人気のないパチンコ機８には、高いレンタル代金を支払う必要がない。
【０１２７】
尚、上記実施の形態では、装置としてパチンコ機を扱ったが、本発明はパチンコ機に限られず、パチコン機、パチスロ機等の各種の遊技機に適用可能であり、さらには、遊技機に限らず、所定の動作を行い製品を製造する工作機械、所定の動作を行い商品を販売する自動販売機、所定の動作を行いサービスを提供するサービス提供装置などにも適用可能である。
【０１２８】
また、上記実施の形態では、代金決定に関与する所定の動作を行う装置の動作に関する動作情報として、パチンコ機８の遊技領域に１日に発射された遊技球数である稼働球数を用いた。しかし、動作情報は必ずしも稼働球数に限られず、例えば、１日の営業時間中に、貸出球数、図柄始動回数、稼働時間等の遊技機が出力する各種遊技情報や、遊技媒体計数機や遊技媒体貸出機等の遊技場内の遊技機以外の装置から発生する各種情報などを用いてもよい。また、所定の動作を行う装置がパチンコ機でない場合には、製造製品数、販売商品数、稼働時間、サービス提供回数、サービス提供時間など、各々の装置の動作に関する数量を用いればよい。また、稼働球数を計数する際には１パルス信号を１球としたが、動作情報としては必ずしも１球単位で記憶する必要はなく、１００パルスすなわち１００球で１単位としたり、１０パルスすなわち１０球で１単位としたりして記憶してもよい。
【０１２９】
さらに、上記実施の形態では、パチンコ機８の代金の決定に関与する動作情報は、パチンコ機８の動作情報記憶装置９で自動収集され、次いで、動作情報収集サーバ４からのポーリングにより各遊技店の動作情報が動作情報収集サーバ４へ収集されたが、物品や情報やサービスの代金の決定に関与する利用情報を利用情報収集サーバへ収集する場合には、物品や情報やサービスの提供方法が様々な形態であるため、様々な収集方法が考えられる。ここで、物品や情報やサービスについて考えると、物品は本や食品等の商品が考えられ、情報は天気予報、交通機関時刻表、店舗の営業案内、音楽、画像、ある装置を稼働させるためのプログラムやソフトウェアなどの種々の情報が考えられ、サービスは美容院での髪のカットや宿泊施設での宿泊やインターネットや情報配信端末や無線通信端末を利用した情報の提供や写真の現像などが考えられる。物品や情報やサービスがインターネット等のネットワークを介して提供される場合には、提供時に提供側コンピュータにて自動的に利用情報を収集し、利用情報収集サーバへ送信してもよい。また、物品や情報やサービスが装置を介して提供される場合には、装置にて自動的に利用情報を収集し、利用情報収集サーバへ送信してもよい。また、物品や情報やサービスが装置を介さず、人の手のみで提供される場合には、レジスタやＰＯＳ（Ｐｏｉｎｔ　ｏｆ　Ｓａｌｅ）端末や専用端末などの利用情報記憶装置を設置し、物品や情報やサービスを提供した場合に、担当者がキーボード、バーコードリーダ、タッチパネル画面、入力ボタンなどから利用情報を利用情報記憶装置に入力して、記憶し、利用情報収集サーバへ送信するようにしてもよい。これらの場合に、利用情報収集サーバへの利用情報の送信は、利用情報収集サーバからのポーリングに応じて行ってもよい。また、物品や情報やサービスが装置を介さず、人の手のみで提供される場合には、通信にて利用情報を利用情報収集サーバへ入力する方法ではなく、利用情報記憶装置に記憶された利用情報をフレキシブルディスクや磁気テープ等の記憶媒体に記憶したり、紙に印字したり、手書きで利用情報を記入したものを郵送にて利用情報収集サーバ設置場所に送付し、利用情報収集サーバに入力してもよい。
【０１３０】
また、上記実施の形態の代金回収システムでは、代金としてレンタル代金を扱ったが、これはレンタル代金に限らず、リース代金や販売代金であってもよい。、レンタルやリースのように貸与形態をとる場合、契約期間終了後の貸与物件は貸与者の所有となり回収されるが、被貸与者が希望する場合には被貸与者の所有としてもよい。また、上記実施の形態の代金回収システムでは、通信代金としてＰＨＳ利用通信代金を挙げているが、通信代金はＰＨＳ利用通信代金に限られず、電話料金、携帯電話等の通信端末機器を利用した無線通信網の使用代金、インターネット接続代金、専用回線の使用代金、一般公衆回線の電話料金などでも良い。
【０１３１】
また、上記実施の形態の代金回収システムでは、代金は１日から月末までを１ヶ月分としてまとめて請求されているが、必ずしも１日から月末までを１ヶ月分とする必要はない。また、所定の動作を行う装置の納入日が月の途中の日の場合には、その日から月末分までを上記のように動作情報に応じて、日割りで請求するようにしても良い。さらに、代金の全額を上記の実施の形態の代金回収システムを用いて回収せずに、例えば、レンタル開始時にパチンコ機８の代金の半額又は原価相当金額を受領しておき、残りを上記の実施の形態の代金回収システムを用いて回収するようにしても良い。
【０１３２】
また、上記実施の形態では、動作情報収集サーバ４と代金請求サーバ５の通信には、ＰＨＳ網１１を介したテレメトリングサービスを利用したが、これはＰＨＳ網１１を介したテレメトリングサービスに限らず、携帯電話やＰＤＡ（携帯情報端末、パーソナルデータアシスタンツ）を使用した無線通信網を介したテレメトリングサービスを用いても良く、また、テレメトリングサービスを用いずに、単に無線通信網を使用したり、インターネットを使用したり、専用電話回線を使用したりしてもよい。さらに、パチンコ機ポーリングコントローラ７と動作情報記憶装置９との間の通信は、電波に限られず赤外線等や有線を用いても良い。
【０１３３】
また、上記実施の形態では、動作情報収集サーバ４にて行われる照合処理において、動作情報記憶装置側の稼働球数Ｐと動作情報収集サーバ側の稼働球数Ｑの値の差を求めて、その値が０以下であるか否かを確認して、動作情報収集サーバ側の稼働球数Ｑの値が正常値であるか否かを判定しているが（図１９、Ｓ６７）、ＰとＱの値の差と比較する閾値は０に限らず、例えば１００や１０００などとしてもよい。
【０１３４】
さらに、上記実施の形態では、図１４に示す課金用テーブル５８３ａを用いて、全ての稼働球数に対して、課金を行うようにしているが、例えば、図２２に示すように、１５０００球までは、課金しない課金用テーブル５８３ｂを用いても良い。この課金用テーブル５８３ｂには、１日当たりの遊技球の稼働球数と、その稼働球数に基づいて決定されるパチンコ機８の１日のレンタル代金が記憶されている。例えば、１日の稼働球数が１５０００球までは１台当たり０円として課金せず、１５００１球以上２００００球までは１台当たり１０００円とし、２０００１球以上２５０００球までは１台当たり１２５０円とし、２５００１球以上３００００球までは１台当たり１５００円とし、３０００１球以上４００００球までは１台当たり２０００円とし、４０００１球以上は１台当たり２０５０円とする。
【０１３５】
また、全てのパチンコ店２が同じ課金用テーブルを用いる必要はなく、パチンコ店２毎に異なる課金用テーブルを用いてもよく、パチンコ店２に複数の種類のパチンコ機が設置されている場合には、パチンコ機８の種類毎に異なる課金用テーブルを用いてもよい。さらに、パチンコ機８の設置時期により異なる課金用テーブルを使用してもよい。例えば、当該パチンコ機８の発売開始から３ヶ月経過後に設置した場合には、発売開始当初の課金よりも安い課金用テーブルを使用する。また、パチンコ機８の設置期間経過により課金用テーブルを変更してもよい。例えば、パチンコ機８を設置して６ヶ月経過後は課金用テーブルを安いものに変更する。
【０１３６】
また、上記実施の形態の代金回収システムでは、代金請求サーバ５にて各パチンコ店２から動作情報を収集し、代金請求サーバ５が記憶している課金用テーブル５８３ａを用いて代金を算出しているが、これは、動作情報収集サーバ４にて課金用テーブルを記憶して代金を算出したり、動作情報記憶装置９にてパチンコ機８毎に課金用テーブルを記憶して代金を算出したりし、代金情報を代金請求サーバ５へ送信するようにしてもよい。さらに、遊技機製造会社にサーバを設置して代金回収データを作成し、通信事業者３の代金請求サーバ５へ引き渡すようにしてもよい。
【０１３７】
また、上記実施の形態の代金回収システムでは、営業時間中に代金請求サーバ５から動作情報収集サーバ４へポーリングが行われた時に、動作情報収集サーバ４から再呼出しの依頼情報又はエラー情報を送信しているが、これは、ポーリングが行われた時点で動作情報記憶装置の稼働球数記憶エリア９６０に記憶されている動作情報を取得して代金請求サーバ５へ送信し、取得後に稼働球数記憶エリア９６０の値を初期化して新たに稼働球数の計数を開始し、翌営業日の計数に引き継いでもよい。
【０１３８】
また、上記実施の形態では、動作情報記憶装置９にてタイマ回路９７を有し、図１５に示す動作情報収集サーバ４への動作情報送信処理において、営業開始時刻の確認（図１５、Ｓ１参照）を行っているが、動作情報記憶装置９ではタイマ回路９７を使用せず、または有さずに、動作情報収集サーバ４から営業開始情報を受取ることにより動作情報収集サーバ４への動作情報送信処理をスタートさせてもよい。
【０１３９】
また、動作情報記憶装置９にて、パチンコ機８の動作情報をＥＥＰ−ＲＯＭ９６の稼働球数記憶エリア９６０に記憶しているが、これはＲＡＭ９２に一時的に記憶するだけにしてもよい。また、動作情報収集サーバ４にて、動作情報記憶装置９から収集した動作情報はハードディスク装置４８に記憶されているが、これは、ＲＡＭ４１に一時的に記憶するだけにしても良い。また、代金請求サーバ５にて、動作情報収集サーバ４から送信された動作情報はハードディスク装置５８の動作情報記憶エリア５８０に記憶されているが、これは、ＲＡＭ５１に一時的に記憶するだけにしてもよい。
【０１４０】
また、上記実施の形態において、代金請求サーバ５の請求データ作成処理にて作成された請求データは、代金請求サーバ５に接続されているプリンタから出力してもよいし、他の請求書用コンピュータにフレキシブルディスク等の記憶媒体やネットワークを介して引渡し、請求書用コンピュータに接続されているプリンタから出力してもよい。また、請求書は紙媒体に印刷されたものに限らず、インターネット上に開示したり、電子メールにより通知したりという電子データでの扱いにしてもよい。
【０１４１】
【発明の効果】
上記課題を解決するため、請求項１に係る発明の代金回収システムは、利用情報収集サーバの利用情報収集サーバ側利用情報入力手段は利用情報を入力し、利用情報収集サーバ側利用情報記憶手段は、利用情報収集サーバ側利用情報入力手段により入力された利用情報を少なくとも一時的に記憶し、利用情報収集サーバ側利用情報送信手段は、利用情報収集サーバ側利用情報記憶手段に記憶された利用情報をネットワークを介して、代金請求サーバに送信することができる。また、代金請求サーバの代金請求サーバ側ポーリング手段は、利用情報収集サーバに対して呼出しを行い、利用情報の送信要求をし、代金請求サーバ側利用情報受信手段は、利用情報収集サーバ側利用情報送信手段から送信された利用情報を受信し、代金請求サーバ側利用情報記憶手段は、代金請求サーバ側利用情報受信手段が受信した利用情報を少なくとも一時的に記憶し、代金回収データ作成手段は、代金請求サーバ側利用情報記憶手段に記憶された利用情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて物品や情報やサービスの代金を通信代金に併せて請求する請求データを作成することができる。したがって、物品や情報やサービスの代金を、その利用状況に応じて請求することができるため、利用者はその物品や情報やサービスの利用量に応じて代金を支払う。利用者側では、利用状況の少ない物品や情報やサービスに対して高い代金を支払うリスクを回避できる。また、物品や情報やサービスの代金が通信代金と併せて請求されることにより、代金受取者は独自で請求書を発行する必要がなくなり、かつ、代金の回収をするために集金人を雇い入れたり、入金の確認をしたり、支払いがされない場合に再請求をしたりする必要がなくなる。また、代金支払者においても、２つの支払いが１回で行えるため、支払いを振込で行う場合の振込の手間や請求書の管理の手間を省くことができる。さらに、通信代金の支払いを滞ると、携帯電話やＰＨＳ端末、インターネット、専用回線などの通信サービスを利用することができなくなるため、物品や情報やサービスの代金単独での請求回収よりも確実なものとなる。また、代金請求サーバの代金請求サーバ側ポーリング手段が利用情報収集サーバに呼出しを行うことにより、利用情報が自動で収集されるので、利用情報収集の手間がない。
【０１４２】
また、請求項２に係る発明の代金回収システムでは、請求項１に記載の発明の効果に加えて、利用情報収集サーバは、物品や情報やサービスが提供された場合に利用情報が少なくとも一時的に記憶される装置から利用情報を受信することができる。したがって、利用情報収集サーバは遠隔地にて物品や情報やサービスが提供された場合の利用情報を収集する際に、郵送や口頭に依らず、短時間で効率的に正確に収集することができる。
【０１４３】
また、請求項３に係る発明の代金回収システムでは、装置の動作情報記憶装置は、所定期間の動作情報を少なくとも一時的に記憶することができる。また、動作情報記憶装置の動作情報計数手段は、動作情報を計数し、動作情報記憶装置側動作情報記憶手段は、動作情報計数手段にて計数された動作情報を少なくとも一時的に記憶し、動作情報記憶装置側動作情報送信手段は、動作情報記憶装置側動作情報記憶手段に記憶された動作情報を動作情報収集サーバに送信する。また、動作情報収集サーバの動作情報収集サーバ側動作情報受信手段は、動作情報記憶装置側動作情報送信手段から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金請求サーバに送信することができる。また、代金請求サーバの代金請求サーバ側ポーリング手段は、動作情報収集サーバに対して呼出しを行い、動作情報の送信要求をし、代金請求サーバ側動作情報受信手段は、動作情報収集サーバ側動作情報送信手段から送信された動作情報を受信し、代金請求サーバ側動作情報記憶手段は、代金請求サーバ側動作情報受信手段が受信した動作情報を少なくとも一時的に記憶し、代金回収データ作成手段は、代金請求サーバ側動作情報記憶手段に記憶された動作情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて装置の代金を通信代金に併せて請求する請求データを作成することができる。したがって、所定の動作を行う装置の動作状況に応じて請求することができるため、代金支払者は装置の動作状況に応じて支払いをすればよい。代金受取者側では、動作頻度の高い装置からは高い代金を得ることができ、代金支払者側では、動作頻度の低い装置に高い代金を支払うリスクを回避できる。また、物品や情報やサービスや所定の動作を行う装置の代金が通信代金と併せて請求されることにより、代金受取者は独自で請求データを発行する必要がなくなり、かつ、代金の回収をするために集金人を雇い入れたり、入金の確認をしたり、支払いがされない場合に再請求をしたりする必要がなくなる。また、代金支払者においても、２つの支払いが１回で行えるため、支払いを振込で行う場合の振込の手間や請求書の管理の手間を省くことができる。さらに、通信代金の支払いを滞ると、携帯電話やＰＨＳ端末、インターネット、専用回線などの通信サービスを利用することができなくなるため、所定の動作を行う装置の代金単独での請求回収よりも確実なものとなる。また、代金請求サーバの代金請求サーバ側ポーリング手段が動作情報収集サーバに呼出しを行うことにより、動作情報が自動で収集されるので、動作情報収集の手間がない。
【０１４４】
また、請求項４に係る発明の代金回収システムでは、装置の動作情報記憶装置は、所定期間の動作情報を少なくとも一時的に記憶することができる。また、動作情報記憶装置の動作情報計数手段は、動作情報を計数し、動作情報記憶装置側動作情報記憶手段は、動作情報計数手段にて計数された動作情報を少なくとも一時的に記憶し、動作情報記憶装置側動作情報送信手段は、動作情報記憶装置側動作情報記憶手段に記憶された動作情報を動作情報収集サーバに送信することができる。また、動作情報収集サーバの動作情報収集サーバ側動作情報受信手段は、動作情報記憶装置側動作情報送信手段から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金請求サーバに送信し、動作情報収集サーバ側動作情報比較手段は、動作情報収集サーバ側動作情報記憶手段に記憶されている動作情報の値と動作情報記憶装置側動作情報記憶手段に記憶されている動作情報の値の差を求めることにより、２つの値を比較し、動作情報収集サーバ側動作情報判定手段は、動作情報収集サーバ側動作情報比較手段にて求めた２種の動作情報の値の差が閾値以下であるか否かにより、動作情報収集サーバ側動作情報記憶手段に記憶されている動作情報の値が正常値であるか異常値であるかを判定することができる。また、代金請求サーバの代金請求サーバ側ポーリング手段は、動作情報収集サーバに対して呼出しを行い、動作情報の送信要求をし、代金請求サーバ側動作情報受信手段は、動作情報収集サーバ側動作情報送信手段から送信された動作情報を受信し、代金請求サーバ側動作情報記憶手段は、代金請求サーバ側動作情報受信手段が受信した動作情報を少なくとも一時的に記憶し、代金回収データ作成手段は、代金請求サーバ側動作情報記憶手段に記憶された動作情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて装置の代金を通信代金に併せて請求する請求データを作成することができる。したがって、所定の動作を行う装置の動作状況に応じて請求することができるため、代金支払者は装置の動作状況に応じて支払いをすればよい。代金受取者側では、動作頻度の高い装置からは高い代金を得ることができ、代金支払者側では、動作頻度の低い装置に高い代金を支払うリスクを回避できる。また、物品や情報やサービスや所定の動作を行う装置の代金が通信代金と併せて請求されることにより、代金受取者は独自で請求データを発行する必要がなくなり、かつ、代金の回収をするために集金人を雇い入れたり、入金の確認をしたり、支払いがされない場合に再請求をしたりする必要がなくなる。また、代金支払者においても、２つの支払いが１回で行えるため、支払いを振込で行う場合の振込の手間や請求書の管理の手間を省くことができる。さらに、通信代金の支払いを滞ると、携帯電話やＰＨＳ端末、インターネット、専用回線などの通信サービスを利用することができなくなるため、所定の動作を行う装置の代金単独での請求回収よりも確実なものとなる。また、代金請求サーバの代金請求サーバ側ポーリング手段が動作情報収集サーバに呼出しを行うことにより、動作情報が自動で収集されるので、動作情報収集の手間がない。さらに、動作情報収集サーバにて動作情報の値が正常値であるか異常値であるかを判断できるため、正確な動作情報を収集することができる。
【０１４５】
また、請求項５に係る発明の代金回収システムでは、請求項１乃至４の何れかに記載の発明の効果に加えて、通信代金請求処理手段は、代金支払者が銀行等金融機関と自動引落しの契約がある場合に自動引落しデータを作成し、また、クレジットカード会社と代金についてクレジットカード利用代金として支払いをする契約がある場合にはクレジット支払データを作成することができる。したがって、代金支払者が銀行等金融機関との自動引落しの契約やクレジットカード会社と当該代金についてクレジットカード利用代金として支払いをする契約をすれば、自動的に請求代金が回収されるため、集金人が請求代金の集金に代金支払者を訪れたり、代金支払者が払込みをしたりする手間が省け、容易に代金が回収できる。また、代金支払者の自動引落し契約口座に預金残高がある場合には、確実に代金が回収できる。
【０１４６】
また、請求項６に係る発明の代金回収システムでは、請求項３乃至５の何れかに記載の発明の効果に加えて、動作情報収集サーバの動作情報収集サーバ側ポーリング手段は、動作情報記憶装置に対して呼出しを行い、動作情報の送信要求をすることができる。したがって、動作情報を手間をかけずに自動で収集することができる。
【０１４７】
また、請求項７に係る発明の代金回収システムでは、請求項３乃至６の何れかに記載の発明の効果に加えて、動作情報は、装置の所定期間内の所定の動作の反復回数、装置が所定期間内に動作した動作量及び動作時間の少なくとも一つを用いることができる。
【０１４８】
また、請求項８に係る発明の代金回収システムでは、請求項１乃至７の何れかに記載の発明の効果に加えて、代金回収データ作成手段は、利用情報又は動作情報に対応して決定した代金を所定期間毎に集計して、所定期間毎の代金を決定することができる。
【０１４９】
また、請求項９に係る発明の代金回収システムでは、請求項８に記載の発明の効果に加えて、代金回収データ作成手段は、所定期間毎の代金を代金支払者毎に集計して、所定期間毎の代金支払者毎の代金を決定することができる。
【０１５０】
また、請求項１０に係る発明の代金回収システムでは、請求項１乃至９の何れかに記載の発明の効果に加えて、代金回収データ作成手段は、利用情報、動作情報、代金回収データの内少なくとも１つが所定の閾値以下の場合には、代金の課金を行わないようにできる。
【０１５１】
また、請求項１１に係る発明の代金回収システムでは、請求項１乃至１０の何れかに記載の発明の効果に加えて、通信代金は電話料金を用いることができる。したがって、物品や情報やサービスや装置の代金の回収は、電話料金と併せて請求されることにより、物品や情報やサービスや装置の代金単独での請求回収よりも確実なものとなる。
【０１５２】
また、請求項１２に係る発明の代金回収システムでは、請求項３乃至１１の何れかに記載の発明の効果に加えて、装置は遊技機を用いることができる。したがって、遊技機の代金を通信代金と併せて請求、回収することができる。
【０１５３】
また、請求項１３に係る発明の代金回収システムでは、請求項１２に記載の発明の効果に加えて、動作情報は、所定期間内に、遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つを用いることができる。
【０１５４】
また、請求項１４に係る発明の代金回収システムでは、請求項１乃至１３の何れかに記載の発明の効果に加えて、代金は、物品や情報やサービス又は装置の貸与を受けた者が支払う貸与代金を用いることができる。したがって、物品や情報やサービス又は装置の貸与代金を通信代金と併せて請求、回収することができる。
【０１５５】
また、請求項１５に係る発明の代金回収システムでは、請求項３乃至１４の何れかに記載の発明の効果に加えて、動作情報収集サーバは、動作情報収集サーバ側動作情報送信手段が代金請求サーバに送信する際に、動作情報収集サーバ側動作情報判定手段にて、動作情報収集サーバ側動作情報記憶手段に記憶されている動作情報が正常値であるか異常値であるかを判定した結果が、異常値であった場合には、動作情報記憶装置に記憶されている動作情報を新たに動作情報収集サーバ側動作情報記憶手段に記憶して、新たに記憶された動作情報を代金請求サーバに送信することができる。したがって、正常な値の動作情報を収集することができる。
【０１５６】
また、請求項１６に係る発明の代金回収システムでは、請求項３乃至１５の何れかに記載の発明の効果に加えて、動作情報収集サーバは、代金請求サーバの代金請求サーバ側ポーリング手段から呼出され、動作情報収集サーバ側動作情報記憶手段に記憶された動作情報の送信依頼がされた際に、装置がまだ稼働中である場合には、動作情報収集サーバ側動作情報送信手段にて代金請求サーバに動作情報を送信せずに、再呼出しの依頼情報又はエラー情報を送信することができる。したがって、代金請求サーバの呼出し時刻設定が誤っていたり、代金請求サーバの時間が狂っていたり、装置稼働終了予定時刻より延長して装置が稼働していたりした場合などに、収集途中の動作情報を動作情報収集サーバから代金請求サーバに送信することがない。また、再呼出しの依頼情報を送ることにより、再度代金請求サーバから動作情報収集サーバに対して動作情報の送信依頼がなされるため、稼働終了後に収集した動作情報を送信することができる。また、エラー情報を送信できるため、例えば、装置稼働終了予定時刻よりも１時間も前に動作情報の送信依頼がされたり、装置が稼働していない場合に動作情報の送信依頼がされたりしたような場合などには、それらの状態をエラー情報として代金請求サーバに送ることができる。
【０１５７】
また、請求項１７に係る発明の代金回収システムでは、請求項１、２、５、８、９、１０、１１、１４の何れかに記載の発明の効果に加えて、利用情報収集サーバは、代金請求サーバの代金請求サーバ側ポーリング手段から呼出され、利用情報収集サーバ側利用情報記憶手段に記憶された利用情報の送信依頼がされた際に、物品や情報やサービスを提供中である場合には、利用情報収集サーバ側利用情報送信手段にて代金請求サーバに利用情報を送信せずに、再呼出しの依頼情報又はエラー情報を送信することができる。したがって、代金請求サーバの呼出し時刻設定が誤っていたり、代金請求サーバの時間が狂っていたり、装置稼働終了予定時刻より延長して所定の利用を繰り返す装置が稼働していたりした場合などに、収集途中の利用情報を利用情報収集サーバから代金請求サーバに送信することがない。また、再呼出しの依頼情報を送ることにより、再度代金請求サーバから利用情報収集サーバに対して利用情報の送信依頼がなされるため、稼働終了後に収集した利用情報を送信することができる。また、エラー情報を送信できるため、例えば、装置稼働終了予定時刻よりも１時間も前に利用情報の送信依頼がされたり、装置が稼働していない場合に利用情報の送信依頼がされたりしたような場合などには、それらの状態をエラー情報として代金請求サーバに送ることができる。
【０１５８】
また、請求項１８に係る発明の代金回収システムでは、請求項１乃至１７の何れかに記載の発明の効果に加えて、代金請求サーバは、代金請求サーバ側ポーリング手段にて、利用情報収集サーバを呼出して、利用情報収集サーバ側利用情報記憶手段に記憶された利用情報の送信依頼をした際や、動作情報収集サーバを呼出して、動作情報収集サーバ側動作情報記憶手段に記憶された動作情報の送信依頼をした際に、代金請求サーバ側動作情報受信手段にて、利用情報又は動作情報ではなく、再呼出しの依頼情報又はエラー情報を受信した場合には、再呼出し処理又はエラー処理を行うことができる。したがって、装置稼働終了予定時刻より延長して装置が稼働してた場合などでも、再呼出しの依頼情報を受信することができるので、利用情報収集サーバ又は動作情報収集サーバに再呼出し処理をして、利用情報又は動作情報を取得することができる。また、代金請求サーバの呼出し時刻設定が誤っていたり、代金請求サーバの時間が狂っていたりした場合などでも、エラー情報を受信することができるので、利用情報又は動作情報の送信依頼の設定の確認などの対処をすることができる。
【０１５９】
また、請求項１９に係る発明の動作情報収集サーバでは、ＣＰＵは動作情報収集サーバの制御を司り、動作情報収集サーバ側動作情報受信手段は、前記動作情報記憶装置から送信された前記動作情報を受信し、動作情報収集サーバ側動作情報記憶手段は、当該動作情報収集サーバ側動作情報受信手段が受信した前記動作情報を少なくとも一時的に記憶し、動作情報収集サーバ側動作情報送信手段は、当該動作情報収集サーバ側動作情報記憶手段に記憶された前記動作情報をネットワークを介して、前記代金請求サーバに送信する。そして、代金請求サーバから呼出され、動作情報収集サーバ側動作情報記憶手段に記憶された動作情報の送信依頼がなされた際に、装置がまだ稼働中である場合には、動作情報収集サーバ側動作情報送信手段にて代金請求サーバに動作情報を送信せずに、再呼出しの依頼情報又はエラー情報を送信することができる。
【０１６０】
また、請求項２０に係る発明の動作情報収集サーバでは、請求項１９に記載の発明の効果に加えて、動作情報は、装置の所定期間内の所定の動作の反復回数、装置が所定期間内に動作した動作量及び動作時間の少なくとも一つを用いることができる。
【０１６１】
また、請求項２１に係る発明の動作情報収集サーバでは、請求項１９又は２０に記載の発明の効果に加えて、通信代金は電話料金を用いることができる。
【０１６２】
また、請求項２２に係る発明の動作情報収集サーバでは、請求項１９乃至２１の何れかに記載の発明の効果に加えて、装置は遊技機を用いることができる。
【０１６３】
また、請求項２３に係る発明の動作情報収集サーバでは、請求項２２に記載の発明の効果に加えて、動作情報は、所定期間内に、遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つを用いることができる。
【０１６４】
また、請求項２４に係る発明の動作情報収集サーバでは、請求項１９乃至２３の何れかに記載の発明の効果に加えて、装置の代金は、装置の貸与を受けた者が支払う貸与代金を用いることができる。
【０１６５】
また、請求項２５に係る発明の代金請求サーバでは、代金請求サーバ側ポーリング手段は、利用情報収集サーバに対して呼出しを行い、利用情報の送信要求をし、代金請求サーバ側利用情報受信手段は、利用情報収集サーバから送信された利用情報を受信し、代金請求サーバ側利用情報記憶手段は、代金請求サーバ側利用情報受信手段が受信した利用情報を少なくとも一時的に記憶し、代金回収データ作成手段は、代金請求サーバ側利用情報記憶手段に記憶された利用情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて物品や情報やサービスの代金を通信代金に併せて請求する請求データを作成することができる。
【０１６６】
また、請求項２６に係る発明の代金請求サーバでは、代金請求サーバ側ポーリング手段は、動作情報収集サーバに対して呼出しを行い、動作情報の送信要求をし、代金請求サーバ側動作情報受信手段は、動作情報収集サーバから送信された動作情報を受信し、代金請求サーバ側動作情報記憶手段は、代金請求サーバ側動作情報受信手段が受信した動作情報を少なくとも一時的に記憶し、代金回収データ作成手段は、代金請求サーバ側動作情報記憶手段に記憶された動作情報に基づいて、代金回収データを作成し、代金回収データ記憶手段は、代金回収データ作成手段にて作成された代金回収データを記憶し、通信代金請求処理手段は、代金回収データ作成手段にて作成された代金回収データに基づいて装置の代金を通信代金に併せて請求する請求データを作成することができる。
【０１６７】
また、請求項２７に係る発明の代金請求サーバでは、請求項２５又は２６に記載の発明の効果に加えて、通信代金請求処理手段は、代金支払者が銀行等金融機関と自動引落しの契約がある場合に自動引落しデータを作成し、また、クレジットカード会社と代金についてクレジットカード利用代金として支払いをする契約がある場合にはクレジット支払データを作成することができる。
【０１６８】
また、請求項２８に係る発明の代金請求サーバでは、請求項２６又は２７の何れかに記載の発明の効果に加えて、動作情報は、装置の所定期間内の所定の動作の反復回数、装置が所定期間内に動作した動作量及び動作時間の少なくとも一つを用いることができる。
【０１６９】
また、請求項２９に係る発明の代金請求サーバでは、請求項２５乃至２８の何れかに記載の発明の効果に加えて、代金回収データ作成手段は、利用情報又は動作情報に対応して決定した代金を所定期間毎に集計して、所定期間毎の代金を決定することができる。
【０１７０】
また、請求項３０に係る発明の代金請求サーバでは、請求項２９に記載の発明の効果に加えて、代金回収データ作成手段は、所定期間毎の代金を代金支払者毎に集計して、所定期間毎の代金支払者毎の代金を決定することができる。
【０１７１】
また、請求項３１に係る発明の代金請求サーバでは、請求項２５乃至３０の何れかに記載の発明の効果に加えて、代金回収データ作成手段は、利用情報、動作情報、代金回収データの内少なくとも１つが所定の閾値以下の場合には、代金の課金を行わないようにできる。
【０１７２】
また、請求項３２に係る発明の代金請求サーバでは、請求項２５乃至３１の何れかに記載の発明の効果に加えて、代金請求サーバ側ポーリング手段にて、利用情報収集サーバを呼出し、利用情報収集サーバに記憶された利用情報の送信依頼をした際や、動作情報収集サーバを呼出し、動作情報収集サーバ側動作情報記憶手段に記憶された動作情報の送信依頼をした際に、代金請求サーバ側動作情報受信手段にて、利用情報又は動作情報ではなく、再呼出しの依頼情報又はエラー情報を受信した場合には、再呼出し処理又はエラー処理を行うことができる。
【０１７３】
また、請求項３３に係る発明の代金請求サーバでは、請求項２５乃至３２の何れかに記載の発明の効果に加えて、通信代金は電話料金を用いることができる。
【０１７４】
また、請求項３４に係る発明の代金請求サーバでは、請求項２６乃至３３の何れかに記載の発明の効果に加えて、装置は遊技機を用いることができる。
【０１７５】
また、請求項３５に係る発明の代金請求サーバでは、請求項３４に記載の発明の効果に加えて、動作情報は、所定期間内に、遊技機で利用された遊技媒体の数、遊技媒体獲得条件が成立したことにより払い出された遊技媒体の数、遊技媒体貸出装置から貸し出された遊技媒体の数、図柄変動回数、遊技者にとって有利な遊技状態が生起した回数、遊技者にとって有利な遊技状態であるか否かの状態情報、遊技者にとって有利な遊技状態が生起し易くなる確率変動状態となった回数の内の少なくとも１つを用いることができる。
【０１７６】
また、請求項３６に係る発明の代金請求サーバでは、請求項２５乃至３５の何れかに記載の発明の効果に加えて、代金は、物品や情報やサービス又は装置の貸与を受けた者が支払う貸与代金を用いることができる。
【０１７７】
また、請求項３７に係る発明の利用情報収集サーバでは、ＣＰＵは利用情報収集サーバの制御を司り、利用情報収集サーバ側利用情報入力手段は、利用情報を入力し、利用情報収集サーバ側利用情報記憶手段は、利用情報収集サーバ側利用情報入力手段により入力された利用情報を少なくとも一時的に記憶し、利用情報収集サーバ側利用情報送信手段は、利用情報収集サーバ側利用情報記憶手段に記憶された利用情報をネットワークを介して、代金請求サーバに送信する。そして、代金請求サーバから呼出され、利用情報収集サーバ側利用情報記憶手段に記憶された利用情報の送信依頼がなされた際に、まだ物品や情報やサービスを提供中である場合には、利用情報収集サーバ側利用情報送信手段にて代金請求サーバに利用情報を送信せずに、再呼出しの依頼情報又はエラー情報を送信することができる。
【０１７８】
また、請求項３８に係る発明の利用情報収集サーバでは、請求項３７に記載の発明の効果に加えて、通信代金は電話料金を用いることができる。
【０１７９】
また、請求項３９に係る発明の利用情報収集サーバでは、請求項３７又は３８に記載の発明の効果に加えて、代金は、物品の貸与を受けた者が支払う貸与代金を用いることができる。
【０１８０】
【図面の簡単な説明】
【図１】図１は、本発明の一実施の形態であるパチンコ機のレンタル代金回収システムのビジネスモデルの概念図である。
【図２】図２はパチンコ機８のレンタル代金回収システムを構成する機器の構成を示すブロック図である。
【図３】図３は、パチンコ機８及び動作情報記憶装置９のブロック図である。
【図４】図４は、動作情報記憶装置９に設けられているＥＥＰ−ＲＯＭ９６の稼働球数記憶エリア９６０の模式図である。
【図５】図５は、動作情報収集サーバ４の電気的構成のブロック図である。
【図６】図６は、パチンコ機ポーリングコントローラ７のブロック図である。
【図７】図７は、稼働球数記憶エリア４８０に記憶されている動作情報の模式図である。
【図８】図８は、照合稼働球数記憶エリア４８１に記憶されている動作情報の模式図である。
【図９】図９は、蓄積動作情報記憶エリア４８３に記憶されている１週間の動作情報の模式図である。
【図１０】図１０は、代金請求サーバ５の電気的構成のブロック図である。
【図１１】図１１は、動作情報記憶エリア５８０に記憶されている１ヶ月のパチンコ店２毎の、パチンコ機８毎の動作情報の模式図である。
【図１２】図１２は、パチンコ機別レンタル代金記憶エリア５８１に記憶されている１ヶ月のパチンコ店毎の、パチンコ機毎のレンタル代金の模式図である。
【図１３】図１３は、代金回収データ記憶エリア５８２に記憶されている代金回収データの模式図である。
【図１４】図１４は、課金用テーブル記憶エリア５８３に記憶されている課金用テーブル５８３ａの模式図である。
【図１５】図１５は、動作情報記憶装置９が動作情報収集サーバ４へ動作情報を送信する送信処理のフローチャートである。
【図１６】図１６は、動作情報記憶装置９がパチンコ機８の動作情報を計数する稼働球数計数処理のフローチャートである。
【図１７】図１７は、動作情報収集サーバ４が動作情報記憶装置９から動作情報を収集する収集処理のフローチャートである。
【図１８】図１８は、動作情報収集サーバ４が代金請求サーバ５へ動作情報を送信する送信処理のフローチャートである。
【図１９】図１９は、動作情報収集サーバ４にて、動作情報記憶装置９に記憶されている動作情報と動作情報収集サーバ４に記憶されている動作情報とを照合する照合処理のフローチャートである。
【図２０】図２０は、代金請求サーバ５が各パチンコ店２に設置された動作情報収集サーバ４から動作情報を収集し、パチンコ店２毎のパチンコ機８のレンタル代金を決定し、請求データを作成する一連の処理のフローチャートである。
【図２１】図２１は、代金請求サーバ処理の中で行う月末処理のフローチャートである。
【図２２】図２２は、課金用テーブル記憶エリア５８３に記憶されている課金用テーブル５８３ｂの模式図である。
【図２３】図２３は、従来の代金収集システムを示す図である。
【符号の説明】
１　遊技機製造会社
２　パチンコ店
３　通信事業者
４　動作情報収集サーバ
５　代金請求サーバ
６　パチンコ店ポーリングコントローラ
７　パチンコ機ポーリングコントローラ
８　パチンコ機
９　動作情報記憶装置
１０　ＰＨＳ端末
１１　ＰＨＳ網
３１　シリアルポート
３４　ＰＨＳ網接続アダプタ
４３　Ｉ／Ｏインターフェース
４８　ハードディスク装置
４９　ポーリングコントローラ接続端子
５３　Ｉ／Ｏインターフェース
５８　ハードディスク装置
７３　送受信回路
７５　Ｉ／Ｏインターフェース
８４　排出球センサ
９３　送受信回路
９５　Ｉ／Ｏインターフェース
９７　タイマ回路
４８０　稼働球数記憶エリア
４８１　照合稼働球数記憶エリア
４８３　蓄積動作情報記憶エリア
５８０　動作情報記憶エリア
５８１　パチンコ機別レンタル代金記憶エリア
５８２　代金回収データ記憶エリア
５８３　課金用テーブル記憶エリア
５８３ａ　課金用テーブル
５８４　顧客情報記憶エリア
９６０　稼働球数記憶エリア
Ｐ　動作情報記憶装置側稼働球数（照合処理）
Ｑ　動作情報収集サーバ側稼働球数（照合処理）
ｊ　呼出しパチンコ機カウンタ（収集処理）
ｋ　照合パチンコ機カウンタ（照合処理）
ｎ　呼出しパチンコ店カウンタ（代金請求サーバ処理）
【図１】
2004105714.tif 000003
【図２】
2004105714.tif 000004
【図３】
2004105714.tif 000005
【図４】
2004105714.tif 000006
【図５】
2004105714.tif 000007
【図６】
2004105714.tif 000008
【図７】
2004105714.tif 000009
【図８】
2004105714.tif 000010
【図９】
2004105714.tif 000011
【図１０】
2004105714.tif 000012
【図１１】
2004105714.tif 000013
【図１２】
2004105714.tif 000014
【図１３】
2004105714.tif 000015
【図１４】
2004105714.tif 000016
【図１５】
2004105714.tif 000017
【図１６】
2004105714.tif 000018
【図１７】
2004105714.tif 000019
【図１８】
2004105714.tif 000020
【図１９】
2004105714.tif 000021
【図２０】
2004105714.tif 000022
【図２１】
2004105714.tif 000023
【図２２】
2004105714.tif 000024
【図２３】
2004105714.tif 000025